(57)【要約】アルミニウム押出成形品フレーミングシステム(10)の第1の実施形態は、パネル(16)を該フレーミングシステムにて固定及び密封するための弾性材料によって形成された第1の楔部材(12)及び第2の楔部材(14)を含む。フレーミングシステム(10)は、更に、パネル(16)の縁部を受け入れるように構成されたチャネル(22)を有するアルミニウム押出成形品(20)を含む。第1の側壁(24b)には、関連した第1の楔部材(12)を受け入れるための押出成形品(20)の全長に亘って延在する第1の細長い保持手段(28)が形成されている。取り外し可能なカバープレート(30)は、押出成形品(20)に固定されるように、且つ、チャネル(22)の第1の側壁(24b)の上端縁に近接して受け入れられるように構成され、それにより、使用時に、第1の楔部材(12)が第１の保持手段(28)に関連して受け入れられた状態でパネル16がチャネル22に設置されるとき、取り外し可能なカバープレート(30)が押出成形品(20)に固定されると第1の楔部材(12)は実質的に隠蔽される。【選択図】図３
2020516796.tif 000002
【特許請求の範囲】
【請求項１】
フレーミングシステム用アルミニウム押出成形品であって、該押出成形品は、
パネルの縁部を受け入れるように構成され、一対の対向する側壁によって形成されたチャネルと、関連する第１の楔部材を受け入れるための該押出成形品の全長に亘って延在する第１の細長い保持手段を有する第１の側壁と、
該押出成形品に固定されるように、且つ、前記チャネルの前記第１の側壁の上端縁に近接して受け入れられるように構成された取外し可能なカバープレートとを含み、使用時に、楔部材が前記第１の細長い保持手段に関連して受け入れられた状態でパネルが前記チャネルに設置されるとき、前記カバープレートが該押出成形品に固定されると前記楔部材は実質的に隠蔽される、フレーミングシステム用アルミニウム押出成形品。
【請求項２】
請求項１に記載のフレーミングシステム用アルミニウム押出成形品において、
前記楔部材は、一対の楔部材のうちの１つであり、該フレーミングシステムは、更に、パネルを該フレーミングシステムにて固定及び密封するための弾性材料によって形成された第２の楔部材を含む、フレーミングシステム用アルミニウム押出成形品。
【請求項３】
請求項２に記載のフレーミングシステム用アルミニウム押出成形品において、
前記チャネルの第２の側壁には、関連する前記第２の楔部材を受け入れるための該押出成形品の全長に亘って延在する第２の細長い保持手段が形成されている、フレーミングシステム用アルミニウム押出成形品。
【請求項４】
請求項３に記載のフレーミングシステム用アルミニウム押出成形品において、
前記チャネルの前記第２の側壁の上端縁に沿って細長いリップが設けられている、フレーミングシステム用アルミニウム押出成形品。
【請求項５】
請求項４に記載のフレーミングシステム用アルミニウム押出成形品において、
前記細長いリップ及び前記カバープレートの各々は、設置後に前記パネルに隣接し且つ近接して位置する縁部を有する、フレーミングシステム用アルミニウム押出成形品。
【請求項６】
アルミニウム押出成形品フレーミングシステムであって、該フレーミングシステムは、
パネルを該フレーミングシステムにて固定及び密封するための弾性材料によって形成された第１の楔部材と、
パネルの縁部を受け入れるように構成され、一対の対向する側壁によって形成されたチャネルを有するアルミニウム押出成形品と、関連する前記第１の楔部材を受け入れるための該押出成形品の全長に亘って延在する第１の細長い保持手段を有する第１の側壁と、
該押出成形品に固定されるように、且つ、前記チャネルの前記第１の側壁の上端縁に近接して受け入れられるように構成された取外し可能なカバープレートとを含み、使用時に、前記第１の楔部材が前記第１の細長い保持手段に関連して受け入れられた状態でパネルが前記チャネルに設置されるとき、前記取外し可能なカバープレートが該押出成形品に固定されると前記第１の楔部材は実質的に隠蔽される、アルミニウム押出成形品フレーミングシステム。
【請求項７】
請求項６に記載のアルミニウム押出成形品フレーミングシステムにおいて、
前記第１の楔部材は、一対の楔部材のうちの１つであり、該フレーミングシステムは、更に、パネルを該フレーミングシステムにて固定及び密封するための弾性材料によって形成された第２の楔部材を含む、アルミニウム押出成形品フレーミングシステム。
【請求項８】
請求項７に記載のアルミニウム押出成形品フレーミングシステムにおいて、
第２の側壁には、関連する前記第２の楔部材を受け入れるための該押出成形品の全長に亘って延在する第２の細長い保持手段が形成されている、アルミニウム押出成形品フレーミングシステム。
【請求項９】
請求項８に記載のアルミニウム押出成形品フレーミングシステムにおいて、
前記チャネルの前記第２の側壁の上端縁に沿って細長いリップが設けられている、アルミニウム押出成形品フレーミングシステム。
【請求項１０】
請求項６〜９のいずれか１項に記載のアルミニウム押出成形品フレーミングシステムにおいて、
前記取外し可能なカバープレートの背後にて、該アルミニウム押出成形品内に設けられたキャビティに、照明器具を設置することが可能であり、使用時に、前記パネルに隣接して照明効果を創出することができる、アルミニウム押出成形品フレーミングシステム。
【請求項１１】
請求項１０に記載のアルミニウム押出成形品フレーミングシステムにおいて、
前記照明効果は、前記カバープレートにレーザーカットされたパターン、言葉、ロゴまたは他の印であり、使用時に、前記照明器具のスイッチがオンにされると、レーザーカットを介して光輝いて該照明効果を創出する、アルミニウム押出成形品フレーミングシステム。
【請求項１２】
請求項１０又は請求項１１に記載のアルミニウム押出成形品フレーミングシステムにおいて、
前記照明効果を創出又は高めるために、前記カバープレートの内部又は背後に着色フィルタ及び／又がディフューザを設置されている、アルミニウム押出成形品フレーミングシステム。
【請求項１３】
パネルをフレーミングシステムにて設置する方法であって、該フレーミングシステムは、アルミニウム押出成形品を含み、該アルミニウム押出成形品は、パネルの縁部を受け入れるように構成され一対の対向する側壁によって形成されたチャネルを有し、該方法は、
パネルを前記チャネル内に挿入するステップと、
第１の楔部材を前記パネルと前記チャネルの第１の側壁との間に形成された隙間に挿入するステップであって、前記第１の楔部材を、前記チャネルの前記第１の側壁に形成され、関連する前記第１の楔部材を受け入れるための該押出成形品の全長に亘って延在する第１の細長い保持手段に係合させるステップと、
取外し可能なカバープレートを前記チャネルの前記第１の側壁の上端縁に近接して該押出成形品に固定するステップとを含み、使用時に、前記第１の楔部材は前記カバープレートによって実質的に隠蔽される、方法。
【請求項１４】
請求項１３に記載のパネルをフレーミングシステムにて設置する方法において、
前記方法は、更に、前記パネルを前記チャネル内に挿入するステップの前に、第２の楔部材を第２の細長い保持手段に挿入するステップであって、前記第２の細長い保持手段は、前記チャネルの第２の側壁に形成され、関連する前記第２の楔部材を受け入れるために該押出成形品の全長に亘って延在するステップと、を含む、方法。
【請求項１５】
請求項１４に記載のパネルをフレーミングシステムにて設置する方法において、
前記チャネルの前記第２の側壁の上端縁に沿って細長いリップが設けられ、前記第２の側壁上の前記第２の細長い保持手段の位置と前記第２の楔部材の形状は、前記第２の楔部材は前記細長いリップによって実質的に隠蔽されるように構成されている、方法。
【請求項１６】
パネル用フレーミングシステムであって、該フレーミングシステムは、
キャビティを有する押出成形品であって、該キャビティ内にてパネル用ヒンジの一部は隠蔽されるように構成された押出成形品と、
前記パネル用ヒンジであって、前記キャビティ内に受け入れられたヒンジの一部が、前記押出成形品のプロフィールに整合するように修正された形状を有する、前記パネル用ヒンジと、
前記キャビティを覆うように前記押出成形品に固定されるように構成された取り外し可能なカバープレートとを含み、使用時に、前記取り外し可能なカバープレートが前記押出成形品に固定されると前記ヒンジの一部は実質的に隠蔽される、パネル用フレーミングシステム。
【請求項１７】
請求項１６に記載のパネル用フレーミングシステムにおいて、
前記パネル用ヒンジは、二つ折りドアフレーミングシステムにて２つ以上のドアを一緒に保持するためのヒンジである、パネル用フレーミングシステム。
【請求項１８】
請求項１６に記載のパネル用フレーミングシステムにおいて、
前記パネル用ヒンジは、ドアジャムフレーミングシステムにて１つのドアを保持するためのヒンジである、パネル用フレーミングシステム。
【請求項１９】
パネル用フレーミングシステムであって、該フレーミングシステムは、
キャビティを有する押出成形品であって、該キャビティ内にて、パネルを該フレーミングシステムにて所定の位置に保持するための保持機構の一部は隠蔽され、該保持機構は、前記押出成形品及び／又は前記パネルに機械的に接続されるように構成された磁気キャッチ機構又はロック機構を含む押出成形品と、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される、パネル用フレーミングシステム。
【請求項２０】
フレーミングシステム用押出成形品であって、該押出成形品は、
キャビティであって、該キャビティ内にて、パネルを該フレーミングシステムにて所定の位置に保持するための保持機構の一部は隠蔽され、該保持機構は、前記押出成形品及び／又は前記パネルに機械的に接続されるように構成された磁気キャッチ機構又はロック機構を含むキャビティと、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される、フレーミングシステム用押出成形品。
【請求項２１】
請求項１９に記載のパネル用フレーミングシステムにおいて、
前記磁気キャッチ機構は第１及び第２の磁石を含み、該磁石は近接したときに強い吸引力を与えて前記パネルを閉位置に保持する、パネル用フレーミングシステム。
【請求項２２】
請求項２１に記載のパネル用フレーミングシステムにおいて、
前記第１の磁石は、前記パネル用のジャムを形成するフレーム用の押出成形品にてキャビティ内に隠蔽され、前記第２の磁石は、前記パネルのフレーム用の押出成形品にてキャビティ内に隠蔽される、パネル用フレーミングシステム。
【請求項２３】
アルミニウム押出成形品フレーミングシステムであって、該フレーミングシステムは、
パネルを該フレーミングシステムにて固定及び密封するための弾性材料によって形成された第１及び第２の楔部材と、
パネルの縁部を受け入れるように構成され、一対の対向する側壁によって形成されたチャネルを形成する第１のアルミニウム押出成形品と、関連する前記第１の楔部材を受け入れるための該押出成形品の全長に亘って延在する第１の細長い保持手段を有する第１の側壁と、
前記第１のアルミニウム押出成形品に固定されるように構成され前記一対の対向する側壁の第２の側壁を提供する第２のアルミニウム押出成形品であって、前記第２の側壁は、関連する前記第２の楔部材を受け入れるための該押出成形品の全長に亘って延在する第２の細長い保持手段を有する、第２のアルミニウム押出成形品とを含み、使用時に、前記第１の楔部材が前記第１の細長い保持手段に関連して受け入れられた状態で且つ前記第２の楔部材が前記第２の細長い保持手段に関連して受け入れられた状態でパネルが前記チャネル内に設置されるとき、前記第２のアルミニウム押出成形品が前記第１のアルミニウム押出成形品に固定されると前記第１及び第２の楔部材は実質的に隠蔽される、アルミニウム押出成形品フレーミングシステム。
【請求項２４】
請求項２３に記載のアルミニウム押出成形品フレーミングシステムにおいて、
前記チャネルの前記第１及び第２の側壁の両方の上端縁に沿って細長いリップが設けられている、アルミニウム押出成形品フレーミングシステム。
【請求項２５】
請求項２４に記載のアルミニウム押出成形品フレーミングシステムにおいて、
前記第１及び第２の側壁の両方の上端縁に沿って設けられた前記細長いリップは、設置後に前記パネルに隣接し且つ近接して位置する縁部を有する、アルミニウム押出成形品フレーミングシステム。
【発明の詳細な説明】
【技術分野】
【０００１】
本発明は、グレージングフレーミングシステム及び方法に関し、これには限定されないが、特に、ガラスをアルミニウムフレーム押出成形品に固定するためのそのようなシステム及び方法に関する。また、本発明は、隠蔽されたヒンジキャビティを備えたフレーミングシステムに関し、特に、これには限定されないが、アルミニウムフレーム押出成形品にて隠蔽されたヒンジキャビティを備えたそのようなシステムに関する。
【背景技術】
【０００２】
従来のグレージングシステムでは、アルミニウム押出成形品によって作られたフレームを提供するのが一般的である。押出成形品はチャネルを有し、チャネルに、パネルを押出成形品に固定及び密封するための１つ以上のゴム又はＰＶＣグレージング楔部材と共に、ガラスパネル又はガラス板の縁部が受け入れられる。通常、２つの楔部材が、ガラスパネルの各側に１つずつ、押出成形品に受け入れられる。これらの楔部材の１つ又は両方が、設置後に窓又はドアの全周の周りに明確に見える。通常、楔部材の色は黒又は中立色であるが、隣接する押出成形品とは対照的な色であることが多く、従って、窓やドアフレームの美観をある程度損なう。
【発明の概要】
【発明が解決しようとする課題】
【０００３】
本発明は、グレージングパネルをアルミニウム押出成形品にて固定及び密封するために使用される楔部材が、設置後に実質的に視界から遮られるか又は隠蔽されるアルミニウム押出成形品フレーミングシステム及び方法を提供する目的で開発された。本発明は、窓及びドア用の窓ガラスパネルへの適用に限定されるものではなく、１つ又は複数の楔部材でアルミニウム押出成形品内に固定される他の種類のパネルでも使用できることが理解されよう。
【０００４】
本発明はまた、ドア又は窓パネルをフレーミングシステムにて固定するために使用されるヒンジが設置後に実質的に視界から遮られるか又は隠蔽されるフレーミングシステムを提供する目的で開発された。本発明は、その用途が窓及びドア用のパネルに限定されるものではなく、１つ以上のヒンジでアルミニウム押出成形品に固定される他の種類のパネルにも使用できることが理解されよう。
【０００５】
本明細書における先行技術への言及は、専ら説明の目的のために提供されており、そのような先行技術がオーストラリア又は他の地域の一般的な知識の一部であることを認めるものとみなされるべきではない。
【課題を解決するための手段】
【０００６】
本発明の一態様によれば、フレーミングシステム用アルミニウム押出成形品が提供され、該押出成形品は、
パネルの縁部を受け入れるように構成され、一対の対向する側壁によって形成されたチャネルと、関連する第１の楔部材を受け入れるための該押出成形品の全長に亘って延在する第１の細長い保持手段を有する第１の側壁と、
該押出成形品に固定されるように、且つ、前記チャネルの前記第１の側壁の上端縁に近接して受け入れられるように構成された取外し可能なカバープレートとを含み、使用時に、楔部材が前記第１の細長い保持手段に関連して受け入れられた状態でパネルが前記チャネルに設置されるとき、前記カバープレートが該押出成形品に固定されると前記楔部材は実質的に隠蔽される。
【０００７】
好ましくは、前記楔部材は、一対の楔部材のうちの１つであり、該フレーミングシステムは、更に、パネルを該フレーミングシステムにて固定及び密封するための弾性材料によって形成された第２の楔部材を有する。好ましくは、前記チャネルの第２の側壁には、関連する前記第２の楔部材を受け入れるための該押出成形品の全長に亘って延在する第２の細長い保持手段が形成されている。
【０００８】
一実施形態では、前記チャネルの前記第２の側壁の上端縁に沿って細長いリップが設けられている。
【０００９】
好ましくは、前記細長いリップ及び前記カバープレートの各々は、設置後に前記パネルに隣接し且つ近接して位置する縁部を有する。
【００１０】
本発明の別の態様によれば、アルミニウム押出成形品フレーミングシステムが提供され、該フレーミングシステムは、
パネルを該フレーミングシステムにて固定及び密封するための弾性材料によって形成された第１の楔部材と、
パネルの縁部を受け入れるように構成され、一対の対向する側壁によって形成されたチャネルを有するアルミニウム押出成形品と、関連する前記第１の楔部材を受け入れるための該押出成形品の全長に亘って延在する第１の細長い保持手段を有する第１の側壁と、
該押出成形品に固定されるように、且つ、前記チャネルの前記第１の側壁の上端縁に近接して受け入れられるように構成された取外し可能なカバープレートとを含み、使用時に、前記第１の楔部材が前記第１の細長い保持手段に関連して受け入れられた状態でパネルが前記チャネルに設置されるとき、前記取外し可能なカバープレートが該押出成形品に固定されると前記第１の楔部材は実質的に隠蔽される。
【００１１】
好ましくは、前記第１の楔部材は、一対の楔部材のうちの１つであり、該フレーミングシステムは、更に、パネルを該フレーミングシステムにて固定及び密封するための弾性材料によって形成された第２の楔部材を有する。好ましくは、第２の側壁には、関連する前記第２の楔部材を受け入れるための該押出成形品の全長に亘って延在する第２の細長い保持手段が形成されている。
【００１２】
一実施形態では、前記チャネルの前記第２の側壁の上端縁に沿って細長いリップが設けられている。
【００１３】
有利には、前記取外し可能なカバープレートの背後にて、該アルミニウム押出成形品内に設けられたキャビティに、照明器具を設置することが可能であり、使用時に、前記パネルに隣接して照明効果を創出することができる。一実施形態では、前記照明効果は、前記カバープレートにレーザーカットされたパターン、言葉、ロゴまたは他の印であり、使用時に、前記照明器具のスイッチがオンにされると、レーザーカットを介して光輝いて該照明効果を創出する。好ましくは、前記照明効果を創出又は高めるために、前記カバープレートの内部又は背後に着色フィルタ及び／又がディフューザを設置されている。
【００１４】
本発明の別の態様によれば、パネルをフレーミングシステムにて設置する方法が提供され、該フレーミングシステムは、アルミニウム押出成形品を含み、該アルミニウム押出成形品は、パネルの縁部を受け入れるように構成され一対の対向する側壁によって形成されたチャネルを有し、該方法は、
パネルを前記チャネル内に挿入するステップと、
第１の楔部材を前記パネルと前記チャネルの第１の側壁との間に形成された隙間に挿入するステップであって、前記第１の楔部材を、前記チャネルの前記第１の側壁に形成され、関連する前記第１の楔部材を受け入れるための該押出成形品の全長に亘って延在する第１の細長い保持手段に係合させるステップと、
取外し可能なカバープレートを前記チャネルの前記第１の側壁の上端縁に近接して該押出成形品に固定するステップとを含み、使用時に、前記第１の楔部材は前記カバープレートによって実質的に隠蔽される。
【００１５】
好ましくは、前記方法は、更に、前記パネルを前記チャネル内に挿入するステップの前に、
第２の楔部材を第２の細長い保持手段に挿入するステップであって、前記第２の細長い保持手段は、前記チャネルの第２の側壁に形成され、関連する前記第２の楔部材を受け入れるために該押出成形品の全長に亘って延在する、ステップと、を有する。一実施形態では、前記チャネルの前記第２の側壁の上端縁に沿って細長いリップが設けられ、前記第２の側壁上の前記第２の細長い保持手段の位置と前記第２の楔部材の形状は、前記第２の楔部材は前記細長いリップによって実質的に隠蔽されるように構成されている。
【００１６】
本発明のさらなる態様によれば、パネル用フレーミングシステムが提供され、該フレーミングシステムは、
キャビティを有する押出成形品であって、該キャビティ内にてパネル用ヒンジの一部は隠蔽されるように構成された押出成形品と、
前記パネル用ヒンジであって、前記キャビティ内に受け入れられたヒンジの一部が、前記押出成形品のプロフィールに整合するように修正された形状を有する、前記パネル用ヒンジと、
前記キャビティを覆うように前記押出成形品に固定されるように構成された取り外し可能なカバープレートとを含み、使用時に、前記取り外し可能なカバープレートが前記押出成形品に固定されると前記ヒンジの一部は実質的に隠蔽される。
【００１７】
一実施形態では、前記パネル用ヒンジは、二つ折りドアフレーミングシステムにて２つ以上のドアを一緒に保持するためのヒンジである。
【００１８】
別の実施形態では、前記パネル用ヒンジは、ドアジャムフレーミングシステムにて１つのドアを保持するためのヒンジである。
【００１９】
本発明のさらに別の態様によれば、パネル用フレーミングシステムが提供され、該フレーミングシステムは、
キャビティを有する押出成形品であって、該キャビティ内にて、パネルを該フレーミングシステムにて所定の位置に保持するための保持機構の一部は隠蔽され、該保持機構は、前記押出成形品及び／又は前記パネルに機械的に接続されるように構成された磁気キャッチ機構又はロック機構を有する押出成形品と、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される。
【００２０】
本発明のさらに別の態様によれば、フレーミングシステム用押出成形品が提供され、該押出成形品は、
キャビティであって、該キャビティ内にて、パネルを該フレーミングシステムにて所定の位置に保持するための保持機構の一部は隠蔽され、該保持機構は、前記押出成形品及び／又は前記パネルに機械的に接続されるように構成された磁気キャッチ機構又はロック機構を含むキャビティと、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される。
【００２１】
典型的には、前記磁気キャッチ機構は第１及び第２の磁石を含み、該磁石は近接したときに強い吸引力を与えて前記パネルを閉位置に保持する。好ましくは、前記第１の磁石は、前記パネル用のジャムを形成するフレーム用の押出成形品にてキャビティ内に隠蔽され、前記第２の磁石は、前記パネルのフレーム用の押出成形品にてキャビティ内に隠蔽される。
【００２２】
本発明のさらに別の態様によれば、アルミニウム押出成形品フレーミングシステムが提供され、該フレーミングシステムは、
パネルを該フレーミングシステムにて固定及び密封するための弾性材料によって形成された第１及び第２の楔部材と、
パネルの縁部を受け入れるように構成され、一対の対向する側壁によって形成されたチャネルを形成する第１のアルミニウム押出成形品と、関連する前記第１の楔部材を受け入れるための該押出成形品の全長に亘って延在する第１の細長い保持手段を有する第１の側壁と、
前記第１のアルミニウム押出成形品に固定されるように構成され前記一対の対向する側壁の第２の側壁を提供する第２のアルミニウム押出成形品であって、前記第２の側壁は、関連する前記第２の楔部材を受け入れるための該押出成形品の全長に亘って延在する第２の細長い保持手段を有する、第２のアルミニウム押出成形品とを含み、使用時に、前記第１の楔部材が前記第１の細長い保持手段に関連して受け入れられた状態で且つ前記第２の楔部材が前記第２の細長い保持手段に関連して受け入れられた状態でパネルが前記チャネル内に設置されるとき、前記第２のアルミニウム押出成形品が前記第１のアルミニウム押出成形品に固定されると前記第１及び第２の楔部材は実質的に隠蔽される。
【００２３】
好ましくは、前記チャネルの前記第１及び第２の側壁の両方の上端縁に沿って細長いリップが設けられている。好ましくは、前記第１及び第２の側壁の両方の上端縁に沿って設けられた前記細長いリップは、設置後に前記パネルに隣接し且つ近接して位置する縁部を有する。
【００２４】
明細書全体を通して、文脈で特に必要とされない限り、「含む」又は「含み」などの用語「含」は、記載された整数又は整数のグループの包含を意味するが、他の整数又は整数のグループの除外を意味するものではないことは理解されよう。同様に、「好ましくは」という単語又は「好ましい」などの変形は、記載された整数又は整数のグループが望ましいが本発明の実施に必須ではないことを意味することは理解されよう。
【図面の簡単な説明】
【００２５】
本発明の性質は、添付図面を参照して、例としてのみ与えられたアルミニウム押出成形品フレーミングシステム及び方法のいくつかの特定の実施形態の以下の詳細な説明からよりよく理解されるであろう。
【００２６】
【図１】図１は、本発明によるアルミニウム押出成形品フレーミングシステムの第１の実施形態の断面図であり、フレーミングシステムを組み立てる好ましい方法のステップを示す。
【図２】図２は、図１のアルミニウム押出成形品フレーミングシステムの断面図であり、フレーミングシステムを組み立てる好ましい方法の別のステップを示す。
【図３】図３は、図１のアルミニウム押出成形品フレーミングシステムの断面図であり、フレーミングシステムを組み立てる好ましい方法の最終ステップを示す。
【図４】図４は、図１のアルミニウム押出成形品フレーミングシステムの断面図であり、完全に組み立てられた状態のフレーミングシステムを示す。
【図５】図５は、図１のフレーミングシステムで使用される第２の楔部材の好ましい実施形態を示す。
【図６】図６は、図１のフレーミングシステムで使用される第１の楔部材の好ましい実施形態を示す。
【図７】図７は、図１のアルミニウム押出成形品フレーミングシステムの端部斜視図であり、完全に組み立てられた状態のフレーミングシステムを示す。
【図８】図８は、図１のアルミニウム押出成形品フレーミングシステムの側面斜視図であり、部分的に組み立てられた状態のフレーミングシステムを示す。
【図９】図９は、図１のアルミニウム押出成形品フレーミングシステムの断面図であり、フレーミングシステムで使用される異なるタイプの押出成形品を示す。
【図１０】図１０は、図１のアルミニウム押出成形品フレーミングシステムの断面図であり、完全に組み立てられた状態のフレーミングシステムを示す。
【図１１】図１１は、本発明によるアルミニウム押出成形品フレーミングシステムの第２の実施形態の断面図であり、フレーミングシステムを組み立てる好ましい方法のステップを示す。
【図１２】図１２は、図１１のアルミニウム押出成形品フレーミングシステムの断面図であり、フレーミングシステムを組み立てる好ましい方法の別のステップを示す。
【図１３】図１３は、図１１のアルミニウム押出成形品フレーミングシステムの断面図であり、フレーミングシステムを組み立てる好ましい方法の最終ステップを示す。
【図１４】図１４は、図１１のアルミニウム押出成形品フレーミングシステムの断面図であり、完全に組み立てられた状態のフレーミングシステムを示す。
【図１５】図１５は、ヒンジを隠蔽するための、本発明によるアルミニウム押出成形品フレーミングシステムの別の実施形態の断面図であり、フレーミングシステムを組み立てる好ましい方法の第１のステップを示す。
【図１６】図１６は、図１５のアルミニウム押出成形品フレーミングシステムの断面図であり、フレーミングシステムを組み立てる好ましい方法の別のステップを示す。
【図１７】図１７は、図１５のアルミニウム押出成形品フレーミングシステムの断面図であり、フレーミングシステムを組み立てる好ましい方法の最終ステップを示す。
【図１８ａ】図１８ａは、図１５のアルミニウム押出成形品フレーミングシステムで使用される取外し可能なカバープレートの端面図である。
【図１８ｂ】図１８ｂは、図１５のアルミニウム押出成形品フレーミングシステムで使用される取外し可能なカバープレートの平面図である。
【図１９ａ】図１９ａは、本発明によるアルミニウム押出成形品フレーミングシステムのさらなる実施形態の断面図であり、フレーミングシステムを組み立てる好ましい方法における一連のステップを示す。
【図１９ｂ】図１９ｂは、本発明によるアルミニウム押出成形品フレーミングシステムのさらなる実施形態の断面図であり、フレーミングシステムを組み立てる好ましい方法における一連のステップを示す。
【図１９ｃ】図１９ｃは、本発明によるアルミニウム押出成形品フレーミングシステムのさらなる実施形態の断面図であり、フレーミングシステムを組み立てる好ましい方法における一連のステップを示す。
【図１９ｄ】図１９ｄは、本発明によるアルミニウム押出成形品フレーミングシステムのさらなる実施形態の断面図であり、フレーミングシステムを組み立てる好ましい方法における一連のステップを示す。
【図１９ｅ】図１９ｅは、本発明によるアルミニウム押出成形品フレーミングシステムのさらなる実施形態の断面図であり、フレーミングシステムを組み立てる好ましい方法における一連のステップを示す。
【図２０ａ】図２０ａは、本発明によるアルミニウム押出成形品フレーミングシステムのさらに別の実施形態の断面図であり、フレーミングシステムを組み立てる好ましい方法の一連のステップを示す。
【図２０ｂ】図２０ｂは、図２０ｆのアルミニウム押出成形品フレーミングシステムのいくつかの部品の断面図である。
【図２０ｃ】図２０ｃは、図２０ｆのアルミニウム押出成形品フレーミングシステムのいくつかの部品の断面図である。
【図２０ｄ】図２０ｄは、図２０ｆのアルミニウム押出成形品フレーミングシステムのいくつかの部品の断面図である。
【図２０ｅ】図２０ｅは、本発明によるアルミニウム押出成形品フレーミングシステムのさらに別の実施形態の断面図であり、フレーミングシステムを組み立てる好ましい方法の一連のステップを示す。
【図２０ｆ】図２０ｆは、本発明によるアルミニウム押出成形品フレーミングシステムのさらに別の実施形態の断面図であり、フレーミングシステムを組み立てる好ましい方法の一連のステップを示す。
【図２１】図２１は、照明効果を創出するための、本発明によるアルミニウム押出成形品フレーミングシステムの別の実施形態の斜視図である。
【図２２】図２２は、図２１のアルミニウム押出成形品フレーミングシステムの断面図であり、照明効果を創出する一方法を示す。
【図２３】図２３は、図２１のアルミニウム押出成形品フレーミングシステムの断面図であり、照明効果を創出する別の方法を示す。
【図２４】図２４は、図２１のアルミニウム押出成形品フレーミングシステムの断面図であり、照明効果を創出する第３の方法を示す。
【図２５】図２５は、ヒンジを部分的に隠蔽するための、本発明による押出成形品フレーミングシステムのさらに別の実施形態の分解斜視図である。
【図２６】図２６は、図２５の押出成形品フレーミングシステムの正面斜視図である。
【図２７】図２７は、図２５の押出成形品フレーミングシステムの背面斜視図である。
【図２８ａ】図２８ａは、図２６の押出成形品フレーミングシステムの平面図である。
【図２８ｂ】図２８ｂは、図２６の押出成形品フレーミングシステムの断面図である。
【図２９】図２９は、図２８ｂの枠部分の拡大図である。
【図３０】図３０は、ヒンジを部分的に隠蔽するための、本発明による押出成形品フレーミングシステムのさらに別の実施形態の分解斜視図である。
【図３１】図３１は、図３０の押出成形品フレーミングシステムの正面斜視図である。
【図３２】図３２は、図３１の押出成形品フレーミングシステムの断面図である。
【図３３】図３３は、図３２のフレームの一部の拡大図である。
【図３４】図３４は、本発明による押出成形品フレーミングシステムのさらに別の実施形態の断面図であり、磁気キャッチを隠蔽する１つの方法を示す。
【図３５】図３５は、図３４の押出成形品フレーミングシステムの断面図であり、磁気キャッチを隠蔽する別の方法を示す
【図３６】図３６は、図３４の押出成形品フレーミングシステムの断面図であり、磁気キャッチを隠蔽する第３の方法を示す
【図３７】図３７は、本発明によるアルミニウム押出成形品フレーミングシステムのさらに別の実施形態の断面図である。
【図３８】図３８は、部分的に分解された図３７のアルミニウム押出成形品フレーミングシステムの断面図である。
【図３９ａ】図３９ａは、図３７のアルミニウム押出成形品フレーミングシステムの２つの部分を示す。
【図３９ｂ】図３９ｂは、図３７のアルミニウム押出成形品フレーミングシステムの２つの部分を示す。
【図４０】図４０は、ロック機構の一部を隠蔽するために使用される図４１の押出成形品フレーミングシステム用のカバープレートの平面図である。
【図４１】図４１は、本発明による押出成形品フレーミングシステムのさらに別の実施形態の断面図であり、ドア用のロック機構の一部を隠蔽する１つの方法を示す。
【発明を実施するための形態】
【００２７】
図１〜図１０に示すように、本発明に係るアルミニウム押出成形品フレーミングシステム１０の第１の実施形態は、パネル１６をフレーミングシステムにて固定及び密封するための弾性材料によって形成された第１の楔部材１２を含む。好ましくは、第１の楔部材１２は、一対の楔部材の１つであり、第２の楔部材１４も、パネル１６をフレーミングシステムにて固定及び密封するために設けられる。第１及び第２の楔部材１２及び１４の好ましい実施形態は、夫々図６及び図５に示されている。楔部材１２及び１４は、典型的には、ゴム又はＰＶＣ又はシリコンなどの弾性プラスチック材料から製造される。
【００２８】
フレーミングシステム１０は、またチャネル２２を有するアルミニウム押出成形品２０も含み、該チャネル２２はパネル１６の縁部をその中に受け入れるように構成されている。第１の側壁２４ｂには、押出成形品２０の全長に亘って延在する第１の細長い保持手段２８が形成されており、該保持手段はそれ関連した第１の楔部材１２を受け入れる。
【００２９】
フレーミングシステム１０は、更に、取外し可能なカバープレート３０を含み、該取外し可能なカバープレート３０は、押出成形品２０に固定されるように、且つ、チャネル２２の第１の側壁２４ｂの上端縁に近接して受け入れられるように構成されている。これにより、使用時に、第１の楔部材１２が第１の保持手段２８に関連して受け入れられた状態でパネル１６がチャネル２２に設置されるとき、取外し可能なカバープレート３０が押出成形品２０に固定されると第１の楔部材１２は実質的に隠蔽される。第１の細長い保持手段２８は、好ましくは、使用時に、第１の楔部材１２がそれに関連して受け入れられたときに、カバープレート３０の上に突出しないように配置される。取外し可能なカバープレート３０のこの隠蔽機能は、図３及び図４に明確に示されている。
【００３０】
この実施形態では、チャネル２２は、一対の対向する側壁２４と、第２の側壁２４ａの上端縁に沿って設けられた細長いリップ２６とを有する。好ましくは、チャネル２２の第２の側壁２４ａには、押出成形品２０の全長に亘って延在する第２の細長い保持手段３２が形成され、保持手段３２は、それに関連した第２の楔部材１４を受け入れる。この実施形態の第１及び第２の保持手段２８及び３２は、設計及び機能が類似している。両方は、夫々第１及び第２の楔部材１２及び１４の一部をその中に受け入れるように構成された溝の形状である。両方の場合において、保持手段２８及び３２の溝には、溝の全長に亘って延在する一対の内向きに延びる対向するリップが形成され、これらのリップは、その溝に受け入れられた夫々の楔部材の一部を保持するように設計されている。
【００３１】
この実施形態のアルミニウム押出成形品２０は、ベースプレート３４も含み、このベースプレート３４は押出成形品の後部に受け入れられ、押出成形品の後部を閉じるように設計されている。ベースプレート３４は、Ｌ字形の直立部を有し、この直立部は押出成形品のチャネル２２の後部を、特に、その中のパネル１６の重量を支えるときに、支持する。
【００３２】
図９は、フレーミングシステム１０の一部を形成する別の種類のアルミニウム押出成形品２１を示す。押出成形品２１は、背中合わせにクリップ留めされた２つの部分２１’及び２１”を含み、上下に直接配置された２つのパネル１６の間に接合又は敷居部分を提供する。押出成形品２１の各部分は、夫々のチャネル２２内にて第１及び第２の楔部材１２、１４を受け入れ、チャネル内にてパネル１６の縁部を楔止めする。押出成形品２１の各部分には、細長いリップ２６と取外し可能なカバープレート３０も設けられている。フレーミングシステム１０用のアルミニウム押出成形品は、様々なフレーミング要件に適合するように、多くの異なる形状及び構成で製造できることが理解されよう。
【００３３】
図１から図７を参照して、パネル１６、この場合は窓ガラスを、フレーミングシステム１０のアルミニウム押出成形品２０にて設置する好ましい方法を説明する。アルミニウム押出成形品２０が組み立てられ、ベースプレート３４が後部に挿入される。第２の楔部材１４は、好ましくは、第２の側壁２４ａ上の第２の細長い保持手段３２に関連して挿入される。第２の側壁２４ａ上の第２の細長い保持手段３２の位置、及び第２の楔部材１４の形状は、設置時に第２の楔部材１４が細長いリップ２６の下に実質的に隠蔽されるように構成されていることが理解されよう。
【００３４】
次に、窓ガラス１６をフレーミングシステムに設置すると、図１及び図２に示すように、窓ガラス１６の縁部がアルミニウム押出成形品２０のチャネル２２に受け入れられ、第２の楔部材１４を押圧する。当然ながら、チャネル２２は、この特定の厚さの窓ガラスをその中に受け入れるように設計及び寸法が決められている。窓ガラス１６がチャネル２２に設置されると、細長いリップ２６の細長い縁部がパネルに隣接し且つに近接して位置する。好ましくは、第２の楔部材１４には、図２に示すように、窓ガラス１６と細長いリップ２６の縁部との間に延びる小さなリップが形成されている。これにより、窓ガラス１６がチャネル２２内にて密封され、チャネル２２への水の進入が阻止されることが確実化される。
【００３５】
図２に示すように、窓ガラス１６がこのようにチャネル２２に正しく配置された状態で、第１の楔部材１２が窓ガラス１６とチャネル２２の第１の側壁２４ｂとの間の狭い隙間に挿入される。図３及び図４に示すように、第１の楔部材１２は、楔部材１２が挿入されるときに屈曲する一連の平行な翼部を有するように設計されており、それによって、狭い隙間に押し込まれることができる。第１の楔部材１２の後面には突出リブが形成されており、このリブは、この目的のために第１の細長い保持手段２８の溝に設けられたリップの１つの下に引っかかる。こうして第１の楔部材１２が窓ガラス１６とチャネル２２の第２の側壁２４ｂとの間の狭い隙間の中に楔止めされ、第１の細長い保持手段２８によって保持されると、それを取り外すことは事実上不可能であり、窓ガラス１６はチャネル２２に堅固且つ確実に楔止めされて保持される。
【００３６】
最後に、図３に示すように、取外し可能なカバープレート３０をアルミニウム押出成形品２０に取り付ける。この実施形態の取外し可能なカバープレート３０は、その長さに沿って各縁部に第１及び第２の細長い保持クリップを備えており、これらのクリップは、アルミニウム押出成形品２０に設けられた、適合する細長い突起の下でクリップ留めするように設計されている。一旦、取外し可能なカバープレート３０が取り付けられると、取外し可能なカバープレート３０の細長い縁部は、細長いリップ２６の反対側で、窓ガラス１６に隣接し且つ近接した位置にある。第１の楔部材１２の上部翼部は、取外し可能なカバープレートの縁部と窓ガラス１６との間の小さな隙間内に延在する。しかしながら、取外し可能なカバープレート３０は、取外し可能なカバープレート３０が押出成形品２０に固定されるとき、第１の楔部材１２が実質的に隠蔽され且つ視界から遮られることを確実なものとする。最終的な結果は、窓ガラスとアルミニウム押出成形品との間の接合部の外観を目立たなくすると同時に一層審美的な心地良さを与える。
【００３７】
本発明に係るアルミニウム押出成形品フレーミングシステム４０の第２の実施形態が、図１１〜１４に示されている。フレーミングシステム４０は、フレーミングシステムの第１の実施形態１０と同様であり、従って、同じ要素には同じ参照番号が付されており、重複した説明はしない。フレーミングシステム４０は、パネル１６をフレーミングシステムにて固定及び密封するための弾性材料によって形成された第１の楔部材１２を含む。好ましくは、第１の楔部材１２は、一対の楔部材の１つであり、第２の楔部材１４も、パネル１６をフレーミングシステムにて固定及び密封するために設けられる。
【００３８】
フレーミングシステム４０は、パネル１６の縁部をその中に受け入れるように構成されたチャネル２２を有するアルミニウム押出成形品５０も含む。チャネル２２は、一対の対向する側壁２４と、第２の側壁２４ａの上端縁に沿って設けられた細長いリップ２６とを有する。第１の側壁２４ｂには、これに関連した第１の楔部材１２を受け入れるための押出成形品２０の全長に亘って延在する第１の細長い保持手段２８が形成されている。第１の細長い保持手段２８は、使用時に、第１の楔部材１２がこれに関連して受け入れられたときに第１の楔部材１２が細長いリップ２６の上方に突出しないように、配置される。
【００３９】
第１の実施形態と同様に、フレーミングシステム４０は、更に、取外し可能なカバープレート６０を含む。取外し可能なカバープレート６０は、押出成形品５０に固定され、チャネル２２の第１の側壁２４ｂの上端縁に近接して受け入れられるように構成されており、これにより、使用時に、第１の楔部材１２が第１の保持手段２８に関連して受けられた状態でパネル１６がチャネル２２に設置されるとき、取外し可能なカバープレート６０が押出成形品５０に固定されると第１の楔部材１２は実質的に隠蔽される。取外し可能なカバープレート３０のこの隠蔽機能は、図１３及び図１４に示されている。
【００４０】
好ましくは、チャネル２２の第２の側壁２４ａには、それに関連した第２の楔部材１４を受け入れるための押出成形品５０の全長に亘って延在する第２の細長い保持手段３２が形成されている。
【００４１】
この実施形態のフレーミングシステム４０と前述の実施形態の主な相違は、取外し可能なカバープレート６０が押出成形品５０に固定される方法である。この実施形態の取外し可能なカバープレート６０は、（第１の実施形態と同様）その長さに沿って一方の縁部に第１の細長い保持クリップ３６を備え、この保持クリップ３６は、アルミニウム押出成形品５０に設けられた、適合する細長い突起の下でクリップ留めするように設計されている。第２の細長い保持クリップ６２が、その長さに沿って、取外し可能なカバープレート６０の幅の中間に設けられ、アルミニウム押出成形品５０に関連して設けられた固定クリップ６４と係合するように構成されている。
【００４２】
この実施形態に係るアルミニウム押出成形品５０には追加の細長い突起５４が設けられている。この突起５４は、チャネル２２に隣接して設けられたキャビティの壁に設けられている。突起５４は、それに関連した固定クリップ６４を受け入れるように設計されている。第１及び第２の楔部材１２、１４の両方が夫々の第１及び第２の細長い保持手段に挿入されると、取外し可能なカバープレート６０が所定の位置にクリップ留めされ、アルミニウム押出成形品５０に固定され、図１３及び１４に示すように、第１の楔部材１２は、実質的に隠蔽される。最終結果は、図７に示す例と同様に、パネル１６とアルミニウム押出成形品５０の間の接合部の外観に一層審美的な心地良さを与える。
【００４３】
パネル１６を本実施形態のフレーミングシステム４０にて設置する好ましい方法は、前述の実施形態と実質的に同様であり、重複した説明はしない。前に述べたように、主な相違は、取外し可能なカバープレート６０を所定の位置にクリップ留めし、アルミニウム押出成形品５０に固定する方法にある。
【００４４】
図１５〜図１８は、本発明係るアルミニウム押出成形品フレーミングシステム９０の別の実施形態を図示し、ドアのヒンジの一部を隠蔽するために使われる。フレーミングシステム９０は、前述の実施形態に係るアルミニウム押出成形品２０と同様のアルミニウム押出成形品１００を含む。この実施形態では、アルミニウム押出成形品１００はキャビティ１０２を含み、その中にてヒンジ９２の一部を隠蔽することができる。アルミニウム押出成形品１００は、典型的には、ドア（図示せず）用のドアフレームの一部を形成することができる。図１５〜図１７に明瞭に分かるように、隠蔽されるべきヒンジの一部は、キャビティ１０２に受け入れられるように曲げられている。次に、図１５に示すように、ヒンジ９２をドアフレームに接続するためのねじ締め具９４を、ヒンジの一部を通してドアフレームにねじ込むことができる。
【００４５】
フレーミングシステム９０は、更に、カバープレート１０４を含み、このカバープレート１０４は、アルミニウム押出成形品１００に固定することができ、キャビティ１０２を覆うように構成されている。使用時に、取外し可能なカバープレート１０４が押出成形品１００に固定されると、キャビティ１０２に受け入れられたヒンジ９２の一部は実質的に隠蔽される。図１８ｂにて最も明瞭に分かるように、カバープレート１０４には、一対の狭い長方形の開口１０６が形成されており、この開口１０６はキャビティ１０２内に受け入れられているヒンジ９２の一部を貫通して受け入れる寸法に構成されている。ヒンジ９２の一部とねじ締め具９４の両方がキャビティ内に隠蔽され、ドアフレームの仕上がりに一層審美的な心地良さを与える。
【００４６】
図１５〜図１８の実施形態は、ドアのヒンジを隠蔽することに関して説明されている。ただし、ロックなどの他のドアハードウエアのアイテムも、ドアヒンジが隠蔽されるのと同様な方法で、適切に対応することで隠蔽されることができることに留意されたい。
【００４７】
標準的なアルミニウムフレームを参照して実施形態を説明したが、本発明は熱的遮断されたアルミニウムシステムにも同様に適用できることに留意されたい。後者の場合、慣用的な手段として、外部から内部への熱伝達を阻止するためにＰＶＣ部材又は熱的遮断が含まれている。
【００４８】
図１９（ａ）〜図１９（ｅ）は、本発明に係るフレーミングシステム１１０のさらなる実施形態を図示しており、上述の第１又は第２の実施形態と組み合わせて使用してもよいが、又は独立したシステムとして使用することができる。この実施形態に係るフレーミングシステム１１０は、パネル１１６の縁部を受け入れるチャネル１２２を有するアルミニウム押出成形品１２０を含み、チャネル１２２は一対の対向する側壁１２４によって形成されている。この実施形態では、チャネルの第１の側壁１２４ｂは、取外し可能な支持部材１２６の一部によって形成される（図１９（ｃ）〜図１９（ｅ）を参照）。第１の側壁１２４ｂは第１の細長い保持手段１２８を有し、保持手段１２８は、それに関連した第１の楔部材１１２を受け入れるように、押出成形品１２０の全長に亘って延在する。第１の楔部材１１２は、パネル１１６をフレーミングシステムにて固定及び密封するための弾性材料によって形成されている。
【００４９】
フレーミングシステム１１０は、更に、取外し可能なカバープレート１３０を含み、取外し可能なカバープレート１３０は、押出成形品１２０に固定され、チャネル１２２の第１の側壁１２４ｂの上端縁に近接して受け入れられるように構成されている。使用時に、第１の楔部材１１２が第１の保持手段１２８に関連して受け入れられた状態でパネル１１６がチャネル１２２に設置されるとき、取外し可能なカバープレート１３０が押出成形品１２０に固定されると第１の楔部材は実質的に隠蔽される。
【００５０】
好ましくは、第１の楔部材１２４は一対の楔部材の１つであり、フレーミングシステム１１０は、更に、パネルをフレーミングシステムにて固定及び密封するための弾性材料によって形成された第２の楔部材１１４を含む。好ましくは、第２の側壁１２４ａには、第２の細長い保持手段１３２が形成され、保持手段１３２は、それに関連した第２の楔部材１１４を受け入れるために押出成形品１２０の全長に亘って延在する。
【００５１】
第１及び第２の実施形態と同様に、細長いリップ１３６が、チャネル１２２の第２の側壁１２４ａの上端縁に沿って設けられている。好ましくは、細長いリップ１３６とカバープレート１３０の両方は、設置後にパネル１１６に隣接し且つ近接して位置する縁部を夫々有する。
【００５２】
この実施形態のアルミニウム押出成形品１２０は、典型的には窓又はドアフレームの底部フレーム部材として使用されるため、敷居部分１２０と呼ばれる。典型的な窓枠には、４つのサイドフレーム部材が有る。２つの垂直側部フレーム部材及び上部側部フレーム部材は、典型的には、第１及び第２の実施形態のアルミニウム押出成形品２０又は５０を含む。しかしながら、通常は底部又は敷居である第４のサイドフレーム部材には、片側が開いている敷居部分１２０が使用される。敷居部分１２０が片側で開いている理由は、ガラス板を組み立てられた窓枠に挿入できるようにするためである。理論的には、窓枠の４辺すべてに敷居部分１２０を使用して窓ガラスを嵌めることができる。
【００５３】
ここで、図１９（ａ）〜図１９（ｅ）を参照して、パネル１１６、例えば、窓ガラスをフレーミングシステム１１０のアルミニウム押出成形品１２０に取り付ける好ましい方法を説明する。
【００５４】
第１に、第２の楔部材１１４が、好ましくは、第２の側壁２４ａ上の第２の細長い保持手段１３２に関連して挿入される。第２の側壁１２４ａ上の第２の細長い保持手段１３２の位置、及び第２の楔部材１１４の形状は、設置時に、第２の楔部材１１４が細長いリップ１２６の下に実質的に隠蔽されるように構成されていることが理解されよう。
【００５５】
次に、図１９（ｂ）に示すように、窓ガラス１１６の縁部がアルミニウム押出成形品１２０に形成されたチャネル１２２に受け入れられた状態で、窓ガラス１１６をフレームに取付け、第２の楔部材１１４に対して押し付ける。勿論、チャネル１２２は、この特定の厚さの窓ガラスをその中に受け入れるように設計及び寸法が決められている。窓ガラス１１６がチャネル１２２に設置されると、細長いリップ１２６の細長い縁部が窓ガラス１１６に隣接し且つ近接した位置にある。
【００５６】
従って、図１９（ｃ）〜図１９（ｅ）に示すように、窓ガラス１１６がチャネル１２２内に正しく配置された状態で、支持部材１２６が適切な位置にクリップ留めされる。支持部材１２６上の足が、アルミニウム押出成形品１２０に設けられた第１の細長い保持クリップ１１８の下に引っ掛かり、次に支持部材１２６が所定の位置にカチッと嵌る。ここで、支持部材１２６上の第１の側壁１２４ｂは、第２の側壁１２４ａとともに、アルミニウム押出成形品１２０のチャネル１２２を形成する。
【００５７】
次に、図１９（ｄ）に示すように、第１の楔部材１１２が、窓ガラス１１６とチャネル１２２の第１の側壁１２４ｂとの間の狭い隙間に挿入される。第１の楔部材１１２は、図１１９（ｄ）及び図１１９（ｅ）に示すように、この狭い隙間に押し込まれることができるように設計されている。第１の楔部材１１２の後面には、第１の細長い保持手段１２８を捕捉する突出リブが形成されている。従って、第１の楔部材１２が窓ガラス１１６とチャネル１２２の第２の壁１２４ｂとの間の狭い隙間の中に楔止めされ、第１の細長い保持手段１２８によって保持されると、それを取り外すことは事実上不可能であり、窓ガラス１１６はチャネル１２２に強固に且つ確実に楔止めされた状態となる。
【００５８】
最後に、図１９（ｅ）に示すように、取外し可能なカバープレート１３０をアルミニウム押出成形品１２０に取り付けられる。この実施形態に係る取外し可能なカバープレート１３０には、その長さに沿って各縁部に第１及び第２の細長い保持クリップが設けられており、この保持クリップは支持部材１２６及びアルミニウム押出成形品１２０に設けられた、適合する細長い突起の下でクリップ留めするように設計されている。一旦、取外し可能なカバープレート１３０が取り付けられると、取外し可能なカバープレート１３０の細長い縁部は、細長いリップ１２６の反対側で窓ガラス１１６に隣接し且つ近接した位置にある。前述の実施形態と同様に、取外し可能なカバープレート１３０は、取外し可能なカバープレート１３０がアルミニウム押出成形品１２０に固定されるとき、第１の楔部材１１２が実質的に隠蔽され且つ視界から遮られることを確実化する。最終的な結果は、窓ガラスとアルミニウム押出成形品の間の接合部の外観に一層審美的な心地良さを与える。
【００５９】
図２０（ａ）〜図２０（ｅ）は、本発明に係るフレーミングシステム１４０のさらに別の実施形態を示し、サッシ窓（又はスライド窓）用の窓サッシ部１５０の形状のアルミニウム押出成形品を含む。アルミニウム押出成形品１５０は、ガラス板１５４の縁部を受け入れるように構成されたチャネル１５２を有し、このチャネルは、一対の対向する側壁１４２によって形成されている。この実施形態では、チャネルの第１の側壁１４２ｂは、取外し可能な支持部材１５８の一部によって形成される（図２０（ｂ）、図２０（ｅ）及び図２０（ｆ）を参照）。第１の側壁１４２ｂは、第１の細長い保持手段を有し、この保持手段は、関連する第１の楔部材１５６を受け入れるために支持部材１５８の全長に亘って延在する。第１の楔部材１５６は、パネル１１６をフレーミングシステムにて固定及び密封するための弾性材料によって形成されている。
【００６０】
図２０（ｅ）及び図２０（ｆ）に示すように、支持部材１５８は、アルミニウム押出成形品１５０の所定の位置にクリップ留めされる。支持部材１２６上の足は、アルミニウム押出成形品１２０に設けられた第１の細長い保持クリップ１１８の下に引っ掛かり、次いで、支持部材１２６は、所定の位置にカチッと嵌ることができる。ここで、支持部材１２６の第１の側壁１２４ｂは、第２の側壁１２４ａとともに、アルミニウム押出成形品１２０のチャネル１２２を形成する。
【００６１】
フレーミングシステム１４０は、更に、取外し可能なカバープレート１４４を含み、この取外し可能なカバープレート１４４は、押出成形品１５０に固定され、チャネル１５２の第１の側壁１４２ｂの上端縁に近接して受け入れられるように構成されている。使用時に、第１の楔部材１５６が第１の保持手段に関連して受け入れられた状態で窓ガラス１５４がチャネル１５２内に設置されるとき、取外し可能なカバープレート１４４が押出成形品１５０に固定されると第１の楔部材は実質的に隠蔽される。
【００６２】
取外し可能なカバープレート１４４が押出成形品１５０に固定される方法は、フレーミングシステム４０の第２の実施形態と同様である。この実施形態の取外し可能なカバープレート１４４には、その長さに沿って一方の縁部に第１の細長い保持クリップが設けられ、この第１の細長い保持クリップは、取外し可能な支持部材１５８に設けられた適合する細長い凹部と係合するように設計されている。第２の細長い保持クリップ１５２は、その長さに沿って、取外し可能なカバープレート１４４の幅の中間に設けられ（図２０（ｃ）参照）、支持部材１５８に関連して設けられた固定クリップ１４６と係合するように構成されている。
【００６３】
この実施形態に係る取外し可能な支持部材１５８には追加の細長い突起１４８（図２０（ｂ）参照）が設けられ、突起１４８は、その長さに沿って、支持部材の幅の中間に設けられている。突起１４８は、関連した固定クリップ１４６を受け入れるように設計されている。第１の楔部材１５６が第１の細長い保持手段に挿入されると、図２０（ｆ）に示すように、取外し可能なカバープレート１４４が所定の位置にクリップ留めされ、支持部材１５８に固定される。その結果、第１の楔部材１５６は実質的に隠蔽される。最終結果は、窓ガラス１６とアルミニウム押出成形品（サッシ部分）１５０との間の接合部の外観に一層審美的な心地良さを与える。
【００６４】
図２１〜図２４に、本発明係るアルミニウム押出成形品フレーミングシステム１６０のさらに別の実施形態が示されている。フレーミングシステム１６０は、第１の実施形態のフレーミングシステム１０と同様であり、従って、同じ要素は同じ参照番号が付され、重複した説明は省略する。フレーミングシステム１０と同様に、フレーミングシステム１６０は取外し可能なカバープレート３０を含み、取外し可能なカバープレート３０は、押出成形品２０に固定され、チャネル２２の第１の側壁２４ｂの上端縁に近接して受け入れられるように構成されており、これによって、使用時に、第１の楔部材１２が第１の保持手段２８に関連して受け入れられた状態でパネル１６がチャネル２２に設置されるとき、取外し可能なカバープレート３０が押出成形品２０に固定されると第１の楔部材１２は実質的に隠蔽される。
【００６５】
好都合なことに、カバープレート３０は、アルミニウム押出成形品２０内において他のものを隠蔽するために使用することもできる。この実施形態では、カバープレート３０は、アルミニウム押出成形品内に設けられたキャビティ内にて、取外し可能なカバープレート３０の背後に設置された照明器具１６２を隠蔽するために使用され、そのため、使用時に、照明効果がパネル１６に隣接して創り出されることができる。図示した実施形態では、照明効果は、カバープレート３０にレーザーカットされたパターン、言葉、ロゴまたは他の印１６４であり、使用時に、照明器具１６２のスイッチがオンにされると、レーザーカットの印を介して光輝いて照明効果を創出する。
【００６６】
典型的には、照明器具１６２は、図２４に示すように、アルミニウム押出成形品２０内に設けられたキャビティ内にてカバープレート３０のすぐ後ろに取り付けられたＬＥＤアレイである。好ましくは、図２２に示すように、照明効果を高めるために、照明器具１６２とレーザーカット印との間にて、カバープレート３０の背後にカラーフィルター及び／又はディフューザ１６６も設置される。或いは、レーザーカットの印の代わりに、カバープレート３０に開口が設けられ、図２３に示すように、その中に別の種類の照明器具１６８が受け入れられ、この照明器具１６８は、光源及びカラーフィルター及び／又は照明器具に一体化したディフューザを有する。
【００６７】
図２５〜図３９は、本発明に係る押出成形品フレーミングシステム１７０の別の実施形態を示し、ドア／窓又は他のパネルのヒンジの一部を隠蔽するために使用できる。特に、ヒンジ１７２のネジ固定具を隠蔽することにより、滑らかで途切れない仕上がりを創出することができるように設計される。この場合、例えば、各サッシ内に装着されたガラスパネルを備えた２つ折りドアのドアとドアヒンジ接続用である。これにより、パネルの上部から下部まで連続した密封が可能になるため、システムの耐候性が向上する。
【００６８】
フレーミングシステム１７０は、ガラスドアのサッシ部分を形成する実質的に同一の第１及び第２のドアフレーム押出成形品１７４を含む。この実施形態では、各押出成形品１７４は、ヒンジ１７２の一部を隠蔽することができるキャビティ１７６を含む。図２５及び図２６から明らかなように、切り欠き１７８がサッシ部の縁部に設けられており、これを通して隠蔽されるヒンジの一部がキャビティ１７６に受け入れられるように延びている。さらに、ヒンジ１７２自体は、図２８（ｂ）及び図２９で最も明確にわかるように、押出成形品１７４のプロファイルに整合するように修正された形状を有し、そのため、ヒンジ１７２がキャビティ内に受け入れられると、ヒンジの一部がサッシ部分の切り欠き１７８を置き換える。
【００６９】
フレーミングシステム１７０は、更に、一対のカバープレート１８０を含み、このカバープレート１８０は、夫々の押出成形品１７４に固定されることができ、各キャビティ１７６を覆うように構成されている。使用時に、取外し可能なカバープレート１８０が夫々の押出成形品１７４に固定されると、キャビティ１７６内に受け入れられたヒンジ１７２の一部は実質的に隠蔽される。図２５に最も明瞭に見られるように、各カバープレート１８０には、狭い断熱部１８２が形成され、この断熱部１８２は、カバープレート１８０の全長に亘って延在する。図２６と図２７に示すように、ヒンジ１７２の一部とヒンジをサッシに固定するために使用されるネジ留め具の両方は、夫々のキャビティ１７６内に隠蔽され、ドアフレームの仕上がりに一層審美的な心地良さを提供する。
【００７０】
ドア／窓又は他のパネルのヒンジの一部を隠蔽するための押出成形品フレーミングシステム１７０の前述の実施形態は、押出成形されたアルミニウムから製造される必要がないことは明らかであろう。それは、例えば、ＵＰＶＣ、ガラス繊維又は他の硬質プラスチック又は複合材料を含む、任意の適切な材料から押出成形されてもよい。また、このような材料の組み合わせからも形成できる。これは、図３０〜図３６に示す実施形態にも当てはまる。
【００７１】
図３０〜図３３は本発明に係る押出成形品フレーミングシステム１９０の別の実施形態を示し、ドア／窓又は他のパネルのヒンジの一部を隠蔽するために使用できる。フレーミングシステム１９０は、前述の実施形態のアルミニウム押出成形品１７４と同様なドアフレーム押出成形品１９２と、ドアジャム押出成形品１９４とを含む。この実施形態では、押出成形品１９２は、ヒンジ１９８の一部を隠蔽することができるキャビティ１９６を含む。押出成形品１９２は、通常、ガラスドア（図示せず）用のフレーム又はサッシ部分の一部を形成するであろう。図３０から明らかなように、サッシ部分の一方の縁部に切り欠き２０２が設けられており、これを通って隠蔽されるヒンジ１９８の一部がキャビティ１９６内に受け入れられるように延びている。さらに、ヒンジ１９８自体は、図３２及び図３３に最も明確に見られるように、押出成形品１９２のプロファイルに整合するように修正された形状を有し、そのため、ヒンジ１９８がキャビティに受け入れられると、ヒンジの一部はサッシ部分の縁部にある切り欠き２０２を置き換える。フレーミングシステム１９０は、更にカバープレート２００を含み、カバープレート２００は押出成形品１９２に固定されることができ、キャビティ１９６を覆うように構成されている。
【００７２】
フレーミングシステム１９０は、ドアジャム押出成形品１９４を含み、この押出成形品１９４はヒンジ１９８の他の部分を隠蔽することができるキャビティ２０２を含む。押出成形品１９４は、典型的には、ドア（図示せず）用のジャム（わき柱）の一部を形成する。フレーミングシステム１９０は更にカバープレート２０４を含み、カバープレート２０４は、押出成形品１９４に固定されることができ、キャビティ２０２を覆うように構成されている。使用時に、取外し可能なカバープレート２０４が押出成形品１９４に固定されると、キャビティ２０２に受け入れられたヒンジ１９８の一部は実質的に隠蔽される。図３０に最も明確に見られるように、カバープレート２０４には狭い長方形の開口２０６が形成されており、この開口２０６は、キャビティ２０２内に受け入れられたヒンジ１９８の一部を貫通して受け入れる寸法を有する。図３１に示すように、ヒンジ１９８の一部とねじ締め具の両方がキャビティ内に隠蔽され、ドアジャムの仕上がりに一層審美的な心地良さを与える。
【００７３】
前述の実施形態と同様に、各カバープレート２００及び２０４には、カバープレートの全長に亘って延在する狭い断熱部１８２が形成されている。
【００７４】
図２５から図３３の実施形態は、ドアのヒンジを隠蔽することに関して説明されている。ただし、前述のように、ロックなどの他のドアハードウエアのアイテムも、ドアヒンジが隠蔽されるのと同様な方法で、適切に対応することで隠蔽されることができる。
【００７５】
図３４から図３６は、本発明による押出成形品フレーミングシステム２１０の別の実施形態を示しており、パネルをフレーミングシステムにて所定の位置に保持するための保持機構の一部又は全部を隠蔽するために使用できる。保持機構は、ロック、ヒンジ、磁気キャッチ、又はドア、窓、又は他のパネルを所定の位置に保持するためのその他の機構の固定具又は本体であってもよい。フレーミングシステム２１０はキャビティ２１４を備えた押出成形品２１２を含み、キャビティ２１４にて、パネルをフレーミングシステムにて所定の位置に保持するための保持機構の一部を隠蔽することができる。夫々の場合において、保持機構は、押出成形品及び／又はドア、窓、又は他のパネルに機械的に接続されるように構成された機構を含む。
【００７６】
図３４から図３６に示す実施形態では、パネルをフレーミングシステム２１０にて所定の位置に保持するための保持機構は、磁気キャッチ機構２１６である。典型的には、磁気キャッチ機構は、第１及び第２の磁石２１８ａ及び２１８ｂを含み、これらを近接させると強い引力を発揮してパネルを閉位置に保持する。
【００７７】
図３４に示す実施形態では、第１の磁石２１８ａは、パネル用のフレームを形成する押出成形品２１２のキャビティ２１４内に隠蔽されている。取外し可能なカバープレート２２０は、押出成形品２１２に固定されるように構成され、更に、キャビティ２１４内の第１の磁石２１８ａを隠蔽するために設けられる。第２の磁石２１８ｂは、パネル用のジャムを形成するために使用される押出成形品２２４のキャビティ２２２内に隠蔽される。取外し可能なカバープレート２２６は、押出成形品２２４に固定されるように構成され、且つ、キャビティ２２２内の第２の磁石２１８ｂを隠蔽するために設けられる。
【００７８】
図３５に示す実施形態では、第１の磁石２１８ａは、図３４に示す例と同様に、パネル用のフレームを形成する押出成形品２１２のキャビティ２１４内に隠蔽されている。キャビティ２１４内に第１の磁石２１８ａを隠蔽するために、カバープレート２２０が設けられている。しかしながら、第２の磁石２１８ｂは、パネル用のジャムを形成するために使用される押出成形品２２４の別のキャビティ２２８内に隠蔽されている。取外し可能なカバープレート２３０は、押出成形品２２４に固定されるように構成され、キャビティ２２８内の第２の磁石２１８ｂを隠蔽するために設けられる。この実施形態の取外し可能なカバープレート２３０は、ゴム製のドアシール２３２を支持するためにも使用され、ドアシール２３２は、パネルが閉位置にあるときにパネル用のフレーム２１２を押圧する。
【００７９】
図３６に示す実施形態では、第１の磁石２１８ａは、図３４に示す例と同様に再び、パネル用のフレームを形成する押出成形品２１２のキャビティ２１４内に隠蔽されるが、磁石２１８ａがフレームの一方の側により近接して配置されている点が異なる。キャビティ２１４内に第１の磁石２１８ａを隠蔽するために、カバープレート２２０が設けられている。第２の磁石２１８ｂはゴム製のドアシール２３２内に隠蔽されており、ドアシール２３２は、パネル用のジャムのための押出成形品２２４に設けられた取外し可能なカバープレート２３０に支持されている。
【００８０】
図４０及び図４１は、本発明による押出成形品フレーミングシステム２６０の別の実施形態を示しており、パネルをフレーミングシステムにて所定の位置に保持するための保持機構の一部又は全部を隠蔽するために使用できる。フレーミングシステム２６０は、キャビティ２６４を有するドア用のアルミニウムフレーム押出成形品２６２を含み、キャビティ２６４にて、パネルをフレーミングシステムにて所定の位置に保持するためのロック機構２６６の一部を隠蔽することができる。
【００８１】
図４０及び図４１の実施形態では、パネルをフレーミングシステム２６０にて所定の位置に保持するための保持機構は、ロック機構２６６である。典型的には、ロック機構２６６はラッチ機構２６８を含み、ラッチ機構２６８は、ドアを閉位置に保持するために、ストライクプレートを通ってドアフレーム（図示せず）内に延びるラッチを有する。図４１に示す実施形態では、ラッチ機構２６８は、ドア用のフレームを形成する押出成形品２６２のキャビティ２６４内に隠蔽される。取外し可能なカバープレート２７０は、押出成形品２６２に固定されるように構成され、キャビティ２６４内のラッチ機構の一部を隠蔽するように設けられる。カバープレート２７０には、図４０に示すように、開口２７２が設けられており、この開口を通って、ラッチ機構のラッチが突出する。これは、通常見えるラッチ機構２６８の唯一の部分である。
【００８２】
図３４から図３６、図４０、及び図４１に示す実施形態の夫々において、使用時に、取外し可能なカバープレートが夫々の押出成形品に固定されると、保持機構の少なくとも一部が実質的に隠蔽されることがわかる。
【００８３】
図３７から図３９に、本発明によるアルミニウム押出成形品フレーミングシステム２４０のさらに別の実施形態を示す。フレーミングシステム２４０は、パネル２４４をフレーミングシステムにて固定及び密封するための弾性材料によって形成された第１及び第２の楔部材２４２ａ及び２４２ｂを含む。第１及び第２の楔部材２４２は、図１から図１０に示す第１の実施形態の第２の楔部材１４と同様である。
【００８４】
フレーミングシステム２４０は更に第１のアルミニウム押出成形品２４６を含み、押出成形品２４６は、パネル２４４の縁部を受け入れるように構成されたチャネルを形成しており、このチャネルは一対の対向する側壁によって形成される。チャネルの第１の側壁は、関連した第１の楔部材２４２ａを受け入れるために、押出成形品２４６の全長に亘って延在する第１の細長い保持手段２４８を有する。
【００８５】
図３７に示すように、第２のアルミニウム押出成形品２５０は、第１の押出成形品２４６に固定されるように構成され、チャネルを形成する一対の対向する側壁の第２の側壁を提供する。第２の側壁は第２の細長い保持手段２５２を有し、保持手段２５２は、関連した第２の楔部材２４２ｂを受け入れるように押出成形品２５０の全長に亘って延在する。使用時に、第１の楔部材２４２ａが第１の保持手段２４８に関連して受け入れられ且つ第２の楔部材２４２ｂが第２の保持手段２５２に関連して受け入れられた状態でパネル２４４がチャネルに設置されるとき、第２の押出成形品２５０が第１の押出成形品２４６に固定されると第１及び第２の楔部材は実質的に隠蔽される。
【００８６】
好ましくは、チャネルの第１及び第２の側壁の両方の上端縁に沿って細長いリップ２５４が設けられる。好ましくは、第１及び第２の側壁の両方の上端縁に沿って設けられた細長いリップ２５４は、図３７に示すように、設置後にパネル２４４に隣接し且つ近接した位置にある縁部を有する。
【００８７】
前述の実施形態の夫々において取外し可能なカバープレートは、フレーミングシステム用の押出成形品とは異なる材料から作られてもよいことは明らかであろう。さらに、カバープレートは、任意の適切な手段、例えばプラスチック製クリップ、磁石、面ファスナー、接着剤、シリコン等によって、押出成形品に接続されてよい。本発明のフレーミングシステムは、天幕、両開き、旋回及びスライド又はヒンジを含むあらゆる種類のドア、窓及びパネルに適用可能である。
【００８８】
グレージングフレーミングシステム及び方法のいくつかの実施形態が詳細に説明されたが、説明された実施形態は、以下を含む従来技術を超える多くの利点を提供することが明らかであろう。
（ｉ）これらの実施形態は、ガラス板とアルミニウム押出成形品との間の接合部に、より目立たない、且つ、一層審美的で心地よい外観を提供する。
（ｉｉ）これらの実施形態は、ガラス板をアルミニウム押出成形品に楔止めするために使用される楔部材を隠蔽することにより、それを実質的に見えないようにすることによって、実現される。
（ｉｉｉ）これらの実施形態は、パネルを所定の位置に保持するための他の種類の固定具又は保持機構を隠蔽し、それによって、一層審美的な心地良い仕上げを創り出すために、用いられる。
【００８９】
本発明の基本的な発明概念から逸脱することなく、既に説明した実施形態に加えて、前述の実施形態に様々な修正及び改善を加えることができることは、当業者には容易に理解されよう。例えば、パネルをアルミニウム押出成形品にて楔止めするために使用される楔部材の数、形状、及び形式は、添付の図面に示されているものとは大幅に異なる場合があろう。従って、本発明の範囲は、記載された特定の実施形態に限定されないことが理解されよう。
【図１】
2020516796.tif 000003
【図２】
2020516796.tif 000004
【図３】
2020516796.tif 000005
【図４】
2020516796.tif 000006
【図５】
2020516796.tif 000007
【図６】
2020516796.tif 000008
【図７】
2020516796.tif 000009
【図８】
2020516796.tif 000010
【図９】
2020516796.tif 000011
【図１０】
2020516796.tif 000012
【図１１】
2020516796.tif 000013
【図１２】
2020516796.tif 000014
【図１３】
2020516796.tif 000015
【図１４】
2020516796.tif 000016
【図１５】
2020516796.tif 000017
【図１６】
2020516796.tif 000018
【図１７】
2020516796.tif 000019
【図１８ａ】
2020516796.tif 000020
【図１８ｂ】
2020516796.tif 000021
【図１９ａ】
2020516796.tif 000022
【図１９ｂ】
2020516796.tif 000023
【図１９ｃ】
2020516796.tif 000024
【図１９ｄ】
2020516796.tif 000025
【図１９ｅ】
2020516796.tif 000026
【図２０ａ】
2020516796.tif 000027
【図２０ｂ】
2020516796.tif 000028
【図２０ｃ】
2020516796.tif 000029
【図２０ｄ】
2020516796.tif 000030
【図２０ｅ】
2020516796.tif 000031
【図２０ｆ】
2020516796.tif 000032
【図２１】
2020516796.tif 000033
【図２２】
2020516796.tif 000034
【図２３】
2020516796.tif 000035
【図２４】
2020516796.tif 000036
【図２５】
2020516796.tif 000037
【図２６】
2020516796.tif 000038
【図２７】
2020516796.tif 000039
【図２８ａ】
2020516796.tif 000040
【図２８ｂ】
2020516796.tif 000041
【図２９】
2020516796.tif 000042
【図３０】
2020516796.tif 000043
【図３１】
2020516796.tif 000044
【図３２】
2020516796.tif 000045
【図３３】
2020516796.tif 000046
【図３４】
2020516796.tif 000047
【図３５】
2020516796.tif 000048
【図３６】
2020516796.tif 000049
【図３７】
2020516796.tif 000050
【図３８】
2020516796.tif 000051
【図３９ａ】
2020516796.tif 000052
【図３９ｂ】
2020516796.tif 000053
【図４０】
2020516796.tif 000054
【図４１】
2020516796.tif 000055
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
フレーミングシステム用アルミニウム押出成形品であって、該押出成形品は、
パネルの縁部を受け入れるように構成され、一対の対向する側壁によって形成されたチャネルと、関連する第１の楔部材を受け入れるための該押出成形品の全長に亘って延在する第１の細長い保持手段を有する第１の側壁と、
前記チャネルに隣接し該押出成形品の側壁と前記チャネルの前記第１の側壁の間に設けられたキャビティと、
該押出成形品に固定されるように、且つ、前記チャネルの前記第１の側壁の上端縁に近接して受け入れられるように構成された取外し可能なカバープレートであって、前記キャビティの上に該押出成形品の前記側壁の上端縁を超えないで延在する、取外し可能なカバープレートとを含み、使用時に、楔部材が前記第１の細長い保持手段に関連して受け入れられた状態でパネルが前記チャネルに設置されるとき、前記カバープレートが該押出成形品に固定されると前記楔部材は実質的に隠蔽される、フレーミングシステム用アルミニウム押出成形品。
【請求項２】
請求項１に記載のフレーミングシステム用アルミニウム押出成形品において、
前記楔部材は、一対の楔部材のうちの１つであり、該フレーミングシステムは、更に、パネルを該フレーミングシステムにて固定及び密封するための弾性材料によって形成された第２の楔部材を含む、フレーミングシステム用アルミニウム押出成形品。
【請求項３】
請求項２に記載のフレーミングシステム用アルミニウム押出成形品において、
前記チャネルの第２の側壁には、関連する前記第２の楔部材を受け入れるための該押出成形品の全長に亘って延在する第２の細長い保持手段が形成されている、フレーミングシステム用アルミニウム押出成形品。
【請求項４】
請求項３に記載のフレーミングシステム用アルミニウム押出成形品において、
前記チャネルの前記第２の側壁の上端縁に沿って細長いリップが設けられている、フレーミングシステム用アルミニウム押出成形品。
【請求項５】
請求項４に記載のフレーミングシステム用アルミニウム押出成形品において、
前記細長いリップ及び前記カバープレートの各々は、設置後に前記パネルに隣接し且つ近接して位置する縁部を有する、フレーミングシステム用アルミニウム押出成形品。
【請求項６】
アルミニウム押出成形品フレーミングシステムであって、該フレーミングシステムは、
パネルを該フレーミングシステムにて固定及び密封するための弾性材料によって形成された第１の楔部材と、
パネルの縁部を受け入れるように構成され、一対の対向する側壁によって形成されたチャネルを有するアルミニウム押出成形品と、関連する前記第１の楔部材を受け入れるための該押出成形品の全長に亘って延在する第１の細長い保持手段を有する第１の側壁であって、該押出成形品は、また前記チャネルに隣接し該押出成形品の側壁と前記チャネルの前記第１の側壁の間に設けられたキャビティを有する第１の側壁と、
該押出成形品に固定されるように、且つ、前記チャネルの前記第１の側壁の上端縁に近接して受け入れられるように構成された取外し可能なカバープレートであって、前記キャビティの上に該押出成形品の前記側壁の上端縁を超えないで延在する、取外し可能なカバープレートとを含み、使用時に、前記第１の楔部材が前記第１の細長い保持手段に関連して受け入れられた状態でパネルが前記チャネルに設置されるとき、前記取外し可能なカバープレートが該押出成形品に固定されると前記第１の楔部材は実質的に隠蔽される、アルミニウム押出成形品フレーミングシステム。
【請求項７】
請求項６に記載のアルミニウム押出成形品フレーミングシステムにおいて、
前記第１の楔部材は、一対の楔部材のうちの１つであり、該フレーミングシステムは、更に、パネルを該フレーミングシステムにて固定及び密封するための弾性材料によって形成された第２の楔部材を含む、アルミニウム押出成形品フレーミングシステム。
【請求項８】
請求項７に記載のアルミニウム押出成形品フレーミングシステムにおいて、
前記チャネルの第２の側壁には、関連する前記第２の楔部材を受け入れるための該押出成形品の全長に亘って延在する第２の細長い保持手段が形成されている、アルミニウム押出成形品フレーミングシステム。
【請求項９】
請求項８に記載のアルミニウム押出成形品フレーミングシステムにおいて、
前記チャネルの前記第２の側壁の上端縁に沿って細長いリップが設けられている、アルミニウム押出成形品フレーミングシステム。
【請求項１０】
請求項６〜９のいずれか１項に記載のアルミニウム押出成形品フレーミングシステムにおいて、
前記取外し可能なカバープレートの背後にて、該アルミニウム押出成形品内に設けられた前記キャビティに、照明器具を設置することが可能であり、使用時に、前記パネルに隣接して照明効果を創出することができる、アルミニウム押出成形品フレーミングシステム。
【請求項１１】
請求項１０に記載のアルミニウム押出成形品フレーミングシステムにおいて、
前記照明効果は、前記カバープレートにレーザーカットされたパターン、言葉、ロゴまたは他の印であり、使用時に、前記照明器具のスイッチがオンにされると、レーザーカットを介して光輝いて該照明効果を創出する、アルミニウム押出成形品フレーミングシステム。
【請求項１２】
請求項１０又は請求項１１に記載のアルミニウム押出成形品フレーミングシステムにおいて、
前記照明効果を創出又は高めるために、前記カバープレートの内部又は背後に着色フィルタ及び／又がディフューザを設置されている、アルミニウム押出成形品フレーミングシステム。
【請求項１３】
パネルをフレーミングシステムにて設置する方法であって、該フレーミングシステムは、アルミニウム押出成形品を含み、該アルミニウム押出成形品は、パネルの縁部を受け入れるように構成され一対の対向する側壁によって形成されたチャネルを有し、該押出成形品は、また前記チャネルに隣接し該押出成形品の側壁と前記チャネルの前記第１の側壁の間に設けられたキャビティを有し、該方法は、
パネルを前記チャネル内に挿入するステップと、
第１の楔部材を前記パネルと前記チャネルの第１の側壁との間に形成された隙間に挿入するステップであって、前記第１の楔部材を、前記チャネルの前記第１の側壁に形成され、関連する前記第１の楔部材を受け入れるための該押出成形品の全長に亘って延在する第１の細長い保持手段に係合させるステップと、
前記キャビティの上に該押出成形品の前記側壁の上端縁を超えないで延在するように、取外し可能なカバープレートを前記チャネルの前記第１の側壁の上端縁に近接して該押出成形品に固定するステップとを含み、使用時に、前記第１の楔部材は前記カバープレートによって実質的に隠蔽される、方法。
【請求項１４】
請求項１３に記載のパネルをフレーミングシステムにて設置する方法において、
前記方法は、更に、前記パネルを前記チャネル内に挿入するステップの前に、第２の楔部材を第２の細長い保持手段に挿入するステップであって、前記第２の細長い保持手段は、前記チャネルの第２の側壁に形成され、関連する前記第２の楔部材を受け入れるために該押出成形品の全長に亘って延在するステップと、を含む、方法。
【請求項１５】
請求項１４に記載のパネルをフレーミングシステムにて設置する方法において、
前記チャネルの前記第２の側壁の上端縁に沿って細長いリップが設けられ、前記第２の側壁上の前記第２の細長い保持手段の位置と前記第２の楔部材の形状は、前記第２の楔部材は前記細長いリップによって実質的に隠蔽されるように構成されている、方法。
【請求項１６】
パネル用フレーミングシステムであって、該フレーミングシステムは、
キャビティを有する押出成形品であって、該キャビティ内にてパネル用ヒンジの一部は隠蔽されるように構成され、該キャビティは切り欠き部を有し、該切り欠き部を通して隠蔽されるヒンジの一部が延びている押出成形品と、
前記パネル用ヒンジであって、前記キャビティ内に受け入れられたヒンジの一部が、前記切り欠き部の領域にて、前記押出成形品のプロフィールに整合するように修正された形状を有し、隠蔽される前記ヒンジの一部が前記キャビティ内に受け入れられると、前記ヒンジの部分が前記キャビティの前記切り欠き部を置き換える前記パネル用ヒンジと、
前記キャビティを覆うように前記押出成形品に固定されるように構成された取り外し可能なカバープレートとを含み、使用時に、前記取り外し可能なカバープレートが前記押出成形品に固定されると前記ヒンジの一部は実質的に隠蔽される、パネル用フレーミングシステム。
【請求項１７】
請求項１６に記載のパネル用フレーミングシステムにおいて、
前記パネル用ヒンジは、二つ折りドアフレーミングシステムにて２つ以上のドアを一緒に保持するためのヒンジである、パネル用フレーミングシステム。
【請求項１８】
請求項１６に記載のパネル用フレーミングシステムにおいて、
前記パネル用ヒンジは、ドアジャムフレーミングシステムにて１つのドアを保持するためのヒンジである、パネル用フレーミングシステム。
【請求項１９】
パネル用フレーミングシステムであって、該フレーミングシステムは、
キャビティを有する押出成形品であって、該キャビティ内にて、パネルを該フレーミングシステムにて所定の位置に保持するための保持機構の一部は隠蔽され、該保持機構は、前記押出成形品及び／又は前記パネルに機械的に接続されるように構成され、前記パネルを閉位置に保持する磁気キャッチ機構又はロック機構を含む押出成形品と、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される、パネル用フレーミングシステム。
【請求項２０】
フレーミングシステム用押出成形品であって、該押出成形品は、
キャビティであって、該キャビティ内にて、パネルを該フレーミングシステムにて所定の位置に保持するための保持機構の一部は隠蔽され、該保持機構は、前記押出成形品及び／又は前記パネルに機械的に接続されるように構成され、前記パネルを閉位置に保持する磁気キャッチ機構又はロック機構を含むキャビティと、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される、フレーミングシステム用押出成形品。
【請求項２１】
請求項１９に記載のパネル用フレーミングシステムにおいて、
前記磁気キャッチ機構は第１及び第２の磁石を含み、該磁石は近接したときに強い吸引力を与えて前記パネルを閉位置に保持する、パネル用フレーミングシステム。
【請求項２２】
請求項２１に記載のパネル用フレーミングシステムにおいて、
前記第１の磁石は、前記パネル用のジャムを形成するフレーム用の押出成形品にてキャビティ内に隠蔽され、前記第２の磁石は、前記パネルのフレーム用の押出成形品にてキャビティ内に隠蔽される、パネル用フレーミングシステム。
【手続補正２】
【補正対象書類名】明細書
【補正対象項目名】全文
【補正方法】変更
【補正の内容】
【発明の詳細な説明】
【技術分野】
【０００１】
本発明は、グレージングフレーミングシステム及び方法に関し、これには限定されないが、特に、ガラスをアルミニウムフレーム押出成形品に固定するためのそのようなシステム及び方法に関する。また、本発明は、隠蔽されたヒンジキャビティを備えたフレーミングシステムに関し、特に、これには限定されないが、アルミニウムフレーム押出成形品にて隠蔽されたヒンジキャビティを備えたそのようなシステムに関する。
【背景技術】
【０００２】
従来のグレージングシステムでは、アルミニウム押出成形品によって作られたフレームを提供するのが一般的である。押出成形品はチャネルを有し、チャネルに、パネルを押出成形品に固定及び密封するための１つ以上のゴム又はＰＶＣグレージング楔部材と共に、ガラスパネル又はガラス板の縁部が受け入れられる。通常、２つの楔部材が、ガラスパネルの各側に１つずつ、押出成形品に受け入れられる。これらの楔部材の１つ又は両方が、設置後に窓又はドアの全周の周りに明確に見える。通常、楔部材の色は黒又は中立色であるが、隣接する押出成形品とは対照的な色であることが多く、従って、窓やドアフレームの美観をある程度損なう。
【発明の概要】
【発明が解決しようとする課題】
【０００３】
本発明は、グレージングパネルをアルミニウム押出成形品にて固定及び密封するために使用される楔部材が、設置後に実質的に視界から遮られるか又は隠蔽されるアルミニウム押出成形品フレーミングシステム及び方法を提供する目的で開発された。本発明は、窓及びドア用の窓ガラスパネルへの適用に限定されるものではなく、１つ又は複数の楔部材でアルミニウム押出成形品内に固定される他の種類のパネルでも使用できることが理解されよう。
【０００４】
本発明はまた、ドア又は窓パネルをフレーミングシステムにて固定するために使用されるヒンジが設置後に実質的に視界から遮られるか又は隠蔽されるフレーミングシステムを提供する目的で開発された。本発明は、その用途が窓及びドア用のパネルに限定されるものではなく、１つ以上のヒンジでアルミニウム押出成形品に固定される他の種類のパネルにも使用できることが理解されよう。
【０００５】
本明細書における先行技術への言及は、専ら説明の目的のために提供されており、そのような先行技術がオーストラリア又は他の地域の一般的な知識の一部であることを認めるものとみなされるべきではない。
【課題を解決するための手段】
【０００６】
本発明の一態様によれば、フレーミングシステム用アルミニウム押出成形品が提供され、該押出成形品は、
パネルの縁部を受け入れるように構成され、一対の対向する側壁によって形成されたチャネルと、関連する第１の楔部材を受け入れるための該押出成形品の全長に亘って延在する第１の細長い保持手段を有する第１の側壁と、
前記チャネルに隣接し該押出成形品の側壁と前記チャネルの前記第１の側壁の間に設けられたキャビティと、
該押出成形品に固定されるように、且つ、前記チャネルの前記第１の側壁の上端縁に近接して受け入れられるように構成された取外し可能なカバープレートであって、前記キャビティの上に該押出成形品の前記側壁の上端縁を超えないで延在する、取外し可能なカバープレートとを含み、使用時に、楔部材が前記第１の細長い保持手段に関連して受け入れられた状態でパネルが前記チャネルに設置されるとき、前記カバープレートが該押出成形品に固定されると前記楔部材は実質的に隠蔽される。
【０００７】
好ましくは、前記楔部材は、一対の楔部材のうちの１つであり、該フレーミングシステムは、更に、パネルを該フレーミングシステムにて固定及び密封するための弾性材料によって形成された第２の楔部材を有する。好ましくは、前記チャネルの第２の側壁には、関連する前記第２の楔部材を受け入れるための該押出成形品の全長に亘って延在する第２の細長い保持手段が形成されている。
【０００８】
一実施形態では、前記チャネルの前記第２の側壁の上端縁に沿って細長いリップが設けられている。
【０００９】
好ましくは、前記細長いリップ及び前記カバープレートの各々は、設置後に前記パネルに隣接し且つ近接して位置する縁部を有する。
【００１０】
本発明の別の態様によれば、アルミニウム押出成形品フレーミングシステムが提供され、該フレーミングシステムは、
パネルを該フレーミングシステムにて固定及び密封するための弾性材料によって形成された第１の楔部材と、
パネルの縁部を受け入れるように構成され、一対の対向する側壁によって形成されたチャネルを有するアルミニウム押出成形品と、関連する前記第１の楔部材を受け入れるための該押出成形品の全長に亘って延在する第１の細長い保持手段を有する第１の側壁であって、該押出成形品は、また前記チャネルに隣接し該押出成形品の側壁と前記チャネルの前記第１の側壁の間に設けられたキャビティを有する第１の側壁と、
該押出成形品に固定されるように、且つ、前記チャネルの前記第１の側壁の上端縁に近接して受け入れられるように構成された取外し可能なカバープレートであって、前記キャビティの上に該押出成形品の前記側壁の上端縁を超えないで延在する、取外し可能なカバープレートとを含み、使用時に、前記第１の楔部材が前記第１の細長い保持手段に関連して受け入れられた状態でパネルが前記チャネルに設置されるとき、前記取外し可能なカバープレートが該押出成形品に固定されると前記第１の楔部材は実質的に隠蔽される。
【００１１】
好ましくは、前記第１の楔部材は、一対の楔部材のうちの１つであり、該フレーミングシステムは、更に、パネルを該フレーミングシステムにて固定及び密封するための弾性材料によって形成された第２の楔部材を有する。好ましくは、第２の側壁には、関連する前記第２の楔部材を受け入れるための該押出成形品の全長に亘って延在する第２の細長い保持手段が形成されている。
【００１２】
一実施形態では、前記チャネルの前記第２の側壁の上端縁に沿って細長いリップが設けられている。
【００１３】
有利には、前記取外し可能なカバープレートの背後にて、該アルミニウム押出成形品内に設けられたキャビティに、照明器具を設置することが可能であり、使用時に、前記パネルに隣接して照明効果を創出することができる。一実施形態では、前記照明効果は、前記カバープレートにレーザーカットされたパターン、言葉、ロゴまたは他の印であり、使用時に、前記照明器具のスイッチがオンにされると、レーザーカットを介して光輝いて該照明効果を創出する。好ましくは、前記照明効果を創出又は高めるために、前記カバープレートの内部又は背後に着色フィルタ及び／又がディフューザを設置されている。
【００１４】
本発明の別の態様によれば、パネルをフレーミングシステムにて設置する方法が提供され、該フレーミングシステムは、アルミニウム押出成形品を含み、該アルミニウム押出成形品は、パネルの縁部を受け入れるように構成され一対の対向する側壁によって形成されたチャネルを有し、該押出成形品は、また前記チャネルに隣接し該押出成形品の側壁と前記チャネルの前記第１の側壁の間に設けられたキャビティを有し、該方法は、
パネルを前記チャネル内に挿入するステップと、
第１の楔部材を前記パネルと前記チャネルの第１の側壁との間に形成された隙間に挿入するステップであって、前記第１の楔部材を、前記チャネルの前記第１の側壁に形成され、関連する前記第１の楔部材を受け入れるための該押出成形品の全長に亘って延在する第１の細長い保持手段に係合させるステップと、
前記キャビティの上に該押出成形品の前記側壁の上端縁を超えないで延在するように、取外し可能なカバープレートを前記チャネルの前記第１の側壁の上端縁に近接して該押出成形品に固定するステップとを含み、使用時に、前記第１の楔部材は前記カバープレートによって実質的に隠蔽される。
【００１５】
好ましくは、前記方法は、更に、前記パネルを前記チャネル内に挿入するステップの前に、
第２の楔部材を第２の細長い保持手段に挿入するステップであって、前記第２の細長い保持手段は、前記チャネルの第２の側壁に形成され、関連する前記第２の楔部材を受け入れるために該押出成形品の全長に亘って延在する、ステップと、を有する。一実施形態では、前記チャネルの前記第２の側壁の上端縁に沿って細長いリップが設けられ、前記第２の側壁上の前記第２の細長い保持手段の位置と前記第２の楔部材の形状は、前記第２の楔部材は前記細長いリップによって実質的に隠蔽されるように構成されている。
【００１６】
本発明のさらなる態様によれば、パネル用フレーミングシステムが提供され、該フレーミングシステムは、
キャビティを有する押出成形品であって、該キャビティ内にてパネル用ヒンジの一部は隠蔽されるように構成され、該キャビティは切り欠き部を有し、該切り欠き部を通して隠蔽されるヒンジの一部が延びている押出成形品と、
前記パネル用ヒンジであって、前記キャビティ内に受け入れられたヒンジの一部が、前記切り欠き部の領域にて、前記押出成形品のプロフィールに整合するように修正された形状を有し、隠蔽される前記ヒンジの一部が前記キャビティ内に受け入れられると、前記ヒンジの部分が前記キャビティの前記切り欠き部を置き換える前記パネル用ヒンジと、
前記キャビティを覆うように前記押出成形品に固定されるように構成された取り外し可能なカバープレートとを含み、使用時に、前記取り外し可能なカバープレートが前記押出成形品に固定されると前記ヒンジの一部は実質的に隠蔽される。
【００１７】
一実施形態では、前記パネル用ヒンジは、二つ折りドアフレーミングシステムにて２つ以上のドアを一緒に保持するためのヒンジである。
【００１８】
別の実施形態では、前記パネル用ヒンジは、ドアジャムフレーミングシステムにて１つのドアを保持するためのヒンジである。
【００１９】
本発明のさらに別の態様によれば、パネル用フレーミングシステムが提供され、該フレーミングシステムは、
キャビティを有する押出成形品であって、該キャビティ内にて、パネルを該フレーミングシステムにて所定の位置に保持するための保持機構の一部は隠蔽され、該保持機構は、前記押出成形品及び／又は前記パネルに機械的に接続されるように構成され、前記パネルを閉位置に保持する磁気キャッチ機構又はロック機構を有する押出成形品と、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される。
【００２０】
本発明のさらに別の態様によれば、フレーミングシステム用押出成形品が提供され、該押出成形品は、
キャビティであって、該キャビティ内にて、パネルを該フレーミングシステムにて所定の位置に保持するための保持機構の一部は隠蔽され、該保持機構は、前記押出成形品及び／又は前記パネルに機械的に接続されるように構成され、前記パネルを閉位置に保持する磁気キャッチ機構又はロック機構を含むキャビティと、
前記キャビティを覆うように前記押出成形品に固定されるように構成された取り外し可能なカバープレートとを含み、使用時に、前記取り外し可能なカバープレートが前記押出成形品に固定されると前記保持機構の一部は実質的に隠蔽される。
【００２１】
典型的には、前記磁気キャッチ機構は第１及び第２の磁石を含み、該磁石は近接したときに強い吸引力を与えて前記パネルを閉位置に保持する。好ましくは、前記第１の磁石は、前記パネル用のジャムを形成するフレーム用の押出成形品にてキャビティ内に隠蔽され、前記第２の磁石は、前記パネルのフレーム用の押出成形品にてキャビティ内に隠蔽される。
【００２２】
明細書全体を通して、文脈で特に必要とされない限り、「含む」又は「含み」などの用語「含」は、記載された整数又は整数のグループの包含を意味するが、他の整数又は整数のグループの除外を意味するものではないことは理解されよう。同様に、「好ましくは」という単語又は「好ましい」などの変形は、記載された整数又は整数のグループが望ましいが本発明の実施に必須ではないことを意味することは理解されよう。
【図面の簡単な説明】
【００２３】
本発明の性質は、添付図面を参照して、例としてのみ与えられたアルミニウム押出成形品フレーミングシステム及び方法のいくつかの特定の実施形態の以下の詳細な説明からよりよく理解されるであろう。
【００２４】
【図１】図１は、本発明によるアルミニウム押出成形品フレーミングシステムの第１の実施形態の断面図であり、フレーミングシステムを組み立てる好ましい方法のステップを示す。
【図２】図２は、図１のアルミニウム押出成形品フレーミングシステムの断面図であり、フレーミングシステムを組み立てる好ましい方法の別のステップを示す。
【図３】図３は、図１のアルミニウム押出成形品フレーミングシステムの断面図であり、フレーミングシステムを組み立てる好ましい方法の最終ステップを示す。
【図４】図４は、図１のアルミニウム押出成形品フレーミングシステムの断面図であり、完全に組み立てられた状態のフレーミングシステムを示す。
【図５】図５は、図１のフレーミングシステムで使用される第２の楔部材の好ましい実施形態を示す。
【図６】図６は、図１のフレーミングシステムで使用される第１の楔部材の好ましい実施形態を示す。
【図７】図７は、図１のアルミニウム押出成形品フレーミングシステムの端部斜視図であり、完全に組み立てられた状態のフレーミングシステムを示す。
【図８】図８は、図１のアルミニウム押出成形品フレーミングシステムの側面斜視図であり、部分的に組み立てられた状態のフレーミングシステムを示す。
【図９】図９は、図１のアルミニウム押出成形品フレーミングシステムの断面図であり、フレーミングシステムで使用される異なるタイプの押出成形品を示す。
【図１０】図１０は、図１のアルミニウム押出成形品フレーミングシステムの断面図であり、完全に組み立てられた状態のフレーミングシステムを示す。
【図１１】図１１は、本発明によるアルミニウム押出成形品フレーミングシステムの第２の実施形態の断面図であり、フレーミングシステムを組み立てる好ましい方法のステップを示す。
【図１２】図１２は、図１１のアルミニウム押出成形品フレーミングシステムの断面図であり、フレーミングシステムを組み立てる好ましい方法の別のステップを示す。
【図１３】図１３は、図１１のアルミニウム押出成形品フレーミングシステムの断面図であり、フレーミングシステムを組み立てる好ましい方法の最終ステップを示す。
【図１４】図１４は、図１１のアルミニウム押出成形品フレーミングシステムの断面図であり、完全に組み立てられた状態のフレーミングシステムを示す。
【図１５】図１５は、ヒンジを隠蔽するための、本発明によるアルミニウム押出成形品フレーミングシステムの別の実施形態の断面図であり、フレーミングシステムを組み立てる好ましい方法の第１のステップを示す。
【図１６】図１６は、図１５のアルミニウム押出成形品フレーミングシステムの断面図であり、フレーミングシステムを組み立てる好ましい方法の別のステップを示す。
【図１７】図１７は、図１５のアルミニウム押出成形品フレーミングシステムの断面図であり、フレーミングシステムを組み立てる好ましい方法の最終ステップを示す。
【図１８ａ】図１８ａは、図１５のアルミニウム押出成形品フレーミングシステムで使用される取外し可能なカバープレートの端面図である。
【図１８ｂ】図１８ｂは、図１５のアルミニウム押出成形品フレーミングシステムで使用される取外し可能なカバープレートの平面図である。
【図１９ａ】図１９ａは、本発明によるアルミニウム押出成形品フレーミングシステムのさらなる実施形態の断面図であり、フレーミングシステムを組み立てる好ましい方法における一連のステップを示す。
【図１９ｂ】図１９ｂは、本発明によるアルミニウム押出成形品フレーミングシステムのさらなる実施形態の断面図であり、フレーミングシステムを組み立てる好ましい方法における一連のステップを示す。
【図１９ｃ】図１９ｃは、本発明によるアルミニウム押出成形品フレーミングシステムのさらなる実施形態の断面図であり、フレーミングシステムを組み立てる好ましい方法における一連のステップを示す。
【図１９ｄ】図１９ｄは、本発明によるアルミニウム押出成形品フレーミングシステムのさらなる実施形態の断面図であり、フレーミングシステムを組み立てる好ましい方法における一連のステップを示す。
【図１９ｅ】図１９ｅは、本発明によるアルミニウム押出成形品フレーミングシステムのさらなる実施形態の断面図であり、フレーミングシステムを組み立てる好ましい方法における一連のステップを示す。
【図２０ａ】図２０ａは、本発明によるアルミニウム押出成形品フレーミングシステムのさらに別の実施形態の断面図であり、フレーミングシステムを組み立てる好ましい方法の一連のステップを示す。
【図２０ｂ】図２０ｂは、図２０ｆのアルミニウム押出成形品フレーミングシステムのいくつかの部品の断面図である。
【図２０ｃ】図２０ｃは、図２０ｆのアルミニウム押出成形品フレーミングシステムのいくつかの部品の断面図である。
【図２０ｄ】図２０ｄは、図２０ｆのアルミニウム押出成形品フレーミングシステムのいくつかの部品の断面図である。
【図２０ｅ】図２０ｅは、本発明によるアルミニウム押出成形品フレーミングシステムのさらに別の実施形態の断面図であり、フレーミングシステムを組み立てる好ましい方法の一連のステップを示す。
【図２０ｆ】図２０ｆは、本発明によるアルミニウム押出成形品フレーミングシステムのさらに別の実施形態の断面図であり、フレーミングシステムを組み立てる好ましい方法の一連のステップを示す。
【図２１】図２１は、照明効果を創出するための、本発明によるアルミニウム押出成形品フレーミングシステムの別の実施形態の斜視図である。
【図２２】図２２は、図２１のアルミニウム押出成形品フレーミングシステムの断面図であり、照明効果を創出する一方法を示す。
【図２３】図２３は、図２１のアルミニウム押出成形品フレーミングシステムの断面図であり、照明効果を創出する別の方法を示す。
【図２４】図２４は、図２１のアルミニウム押出成形品フレーミングシステムの断面図であり、照明効果を創出する第３の方法を示す。
【図２５】図２５は、ヒンジを部分的に隠蔽するための、本発明による押出成形品フレーミングシステムのさらに別の実施形態の分解斜視図である。
【図２６】図２６は、図２５の押出成形品フレーミングシステムの正面斜視図である。
【図２７】図２７は、図２５の押出成形品フレーミングシステムの背面斜視図である。
【図２８ａ】図２８ａは、図２６の押出成形品フレーミングシステムの平面図である。
【図２８ｂ】図２８ｂは、図２６の押出成形品フレーミングシステムの断面図である。
【図２９】図２９は、図２８ｂの枠部分の拡大図である。
【図３０】図３０は、ヒンジを部分的に隠蔽するための、本発明による押出成形品フレーミングシステムのさらに別の実施形態の分解斜視図である。
【図３１】図３１は、図３０の押出成形品フレーミングシステムの正面斜視図である。
【図３２】図３２は、図３１の押出成形品フレーミングシステムの断面図である。
【図３３】図３３は、図３２のフレームの一部の拡大図である。
【図３４】図３４は、本発明による押出成形品フレーミングシステムのさらに別の実施形態の断面図であり、磁気キャッチを隠蔽する１つの方法を示す。
【図３５】図３５は、図３４の押出成形品フレーミングシステムの断面図であり、磁気キャッチを隠蔽する別の方法を示す
【図３６】図３６は、図３４の押出成形品フレーミングシステムの断面図であり、磁気キャッチを隠蔽する第３の方法を示す
【図３７】図３７は、本発明によるアルミニウム押出成形品フレーミングシステムのさらに別の実施形態の断面図である。
【図３８】図３８は、部分的に分解された図３７のアルミニウム押出成形品フレーミングシステムの断面図である。
【図３９ａ】図３９ａは、図３７のアルミニウム押出成形品フレーミングシステムの２つの部分を示す。
【図３９ｂ】図３９ｂは、図３７のアルミニウム押出成形品フレーミングシステムの２つの部分を示す。
【図４０】図４０は、ロック機構の一部を隠蔽するために使用される図４１の押出成形品フレーミングシステム用のカバープレートの平面図である。
【図４１】図４１は、本発明による押出成形品フレーミングシステムのさらに別の実施形態の断面図であり、ドア用のロック機構の一部を隠蔽する１つの方法を示す。
【発明を実施するための形態】
【００２５】
図１〜図１０に示すように、本発明に係るアルミニウム押出成形品フレーミングシステム１０の第１の実施形態は、パネル１６をフレーミングシステムにて固定及び密封するための弾性材料によって形成された第１の楔部材１２を含む。好ましくは、第１の楔部材１２は、一対の楔部材の１つであり、第２の楔部材１４も、パネル１６をフレーミングシステムにて固定及び密封するために設けられる。第１及び第２の楔部材１２及び１４の好ましい実施形態は、夫々図６及び図５に示されている。楔部材１２及び１４は、典型的には、ゴム又はＰＶＣ又はシリコンなどの弾性プラスチック材料から製造される。
【００２６】
フレーミングシステム１０は、またチャネル２２を有するアルミニウム押出成形品２０も含み、該チャネル２２はパネル１６の縁部をその中に受け入れるように構成されている。第１の側壁２４ｂには、押出成形品２０の全長に亘って延在する第１の細長い保持手段２８が形成されており、該保持手段はそれ関連した第１の楔部材１２を受け入れる。
【００２７】
フレーミングシステム１０は、更に、取外し可能なカバープレート３０を含み、該取外し可能なカバープレート３０は、押出成形品２０に固定されるように、且つ、チャネル２２の第１の側壁２４ｂの上端縁に近接して受け入れられるように構成されている。これにより、使用時に、第１の楔部材１２が第１の保持手段２８に関連して受け入れられた状態でパネル１６がチャネル２２に設置されるとき、取外し可能なカバープレート３０が押出成形品２０に固定されると第１の楔部材１２は実質的に隠蔽される。第１の細長い保持手段２８は、好ましくは、使用時に、第１の楔部材１２がそれに関連して受け入れられたときに、カバープレート３０の上に突出しないように配置される。取外し可能なカバープレート３０のこの隠蔽機能は、図３及び図４に明確に示されている。
【００２８】
この実施形態では、チャネル２２は、一対の対向する側壁２４と、第２の側壁２４ａの上端縁に沿って設けられた細長いリップ２６とを有する。好ましくは、チャネル２２の第２の側壁２４ａには、押出成形品２０の全長に亘って延在する第２の細長い保持手段３２が形成され、保持手段３２は、それに関連した第２の楔部材１４を受け入れる。この実施形態の第１及び第２の保持手段２８及び３２は、設計及び機能が類似している。両方は、夫々第１及び第２の楔部材１２及び１４の一部をその中に受け入れるように構成された溝の形状である。両方の場合において、保持手段２８及び３２の溝には、溝の全長に亘って延在する一対の内向きに延びる対向するリップが形成され、これらのリップは、その溝に受け入れられた夫々の楔部材の一部を保持するように設計されている。
【００２９】
この実施形態のアルミニウム押出成形品２０は、ベースプレート３４も含み、このベースプレート３４は押出成形品の後部に受け入れられ、押出成形品の後部を閉じるように設計されている。ベースプレート３４は、Ｌ字形の直立部を有し、この直立部は押出成形品のチャネル２２の後部を、特に、その中のパネル１６の重量を支えるときに、支持する。
【００３０】
図９は、フレーミングシステム１０の一部を形成する別の種類のアルミニウム押出成形品２１を示す。押出成形品２１は、背中合わせにクリップ留めされた２つの部分２１’及び２１”を含み、上下に直接配置された２つのパネル１６の間に接合又は敷居部分を提供する。押出成形品２１の各部分は、夫々のチャネル２２内にて第１及び第２の楔部材１２、１４を受け入れ、チャネル内にてパネル１６の縁部を楔止めする。押出成形品２１の各部分には、細長いリップ２６と取外し可能なカバープレート３０も設けられている。フレーミングシステム１０用のアルミニウム押出成形品は、様々なフレーミング要件に適合するように、多くの異なる形状及び構成で製造できることが理解されよう。
【００３１】
図１から図７を参照して、パネル１６、この場合は窓ガラスを、フレーミングシステム１０のアルミニウム押出成形品２０にて設置する好ましい方法を説明する。アルミニウム押出成形品２０が組み立てられ、ベースプレート３４が後部に挿入される。第２の楔部材１４は、好ましくは、第２の側壁２４ａ上の第２の細長い保持手段３２に関連して挿入される。第２の側壁２４ａ上の第２の細長い保持手段３２の位置、及び第２の楔部材１４の形状は、設置時に第２の楔部材１４が細長いリップ２６の下に実質的に隠蔽されるように構成されていることが理解されよう。
【００３２】
次に、窓ガラス１６をフレーミングシステムに設置すると、図１及び図２に示すように、窓ガラス１６の縁部がアルミニウム押出成形品２０のチャネル２２に受け入れられ、第２の楔部材１４を押圧する。当然ながら、チャネル２２は、この特定の厚さの窓ガラスをその中に受け入れるように設計及び寸法が決められている。窓ガラス１６がチャネル２２に設置されると、細長いリップ２６の細長い縁部がパネルに隣接し且つに近接して位置する。好ましくは、第２の楔部材１４には、図２に示すように、窓ガラス１６と細長いリップ２６の縁部との間に延びる小さなリップが形成されている。これにより、窓ガラス１６がチャネル２２内にて密封され、チャネル２２への水の進入が阻止されることが確実化される。
【００３３】
図２に示すように、窓ガラス１６がこのようにチャネル２２に正しく配置された状態で、第１の楔部材１２が窓ガラス１６とチャネル２２の第１の側壁２４ｂとの間の狭い隙間に挿入される。図３及び図４に示すように、第１の楔部材１２は、楔部材１２が挿入されるときに屈曲する一連の平行な翼部を有するように設計されており、それによって、狭い隙間に押し込まれることができる。第１の楔部材１２の後面には突出リブが形成されており、このリブは、この目的のために第１の細長い保持手段２８の溝に設けられたリップの１つの下に引っかかる。こうして第１の楔部材１２が窓ガラス１６とチャネル２２の第２の側壁２４ｂとの間の狭い隙間の中に楔止めされ、第１の細長い保持手段２８によって保持されると、それを取り外すことは事実上不可能であり、窓ガラス１６はチャネル２２に堅固且つ確実に楔止めされて保持される。
【００３４】
最後に、図３に示すように、取外し可能なカバープレート３０をアルミニウム押出成形品２０に取り付ける。この実施形態の取外し可能なカバープレート３０は、その長さに沿って各縁部に第１及び第２の細長い保持クリップを備えており、これらのクリップは、アルミニウム押出成形品２０に設けられた、適合する細長い突起の下でクリップ留めするように設計されている。一旦、取外し可能なカバープレート３０が取り付けられると、取外し可能なカバープレート３０の細長い縁部は、細長いリップ２６の反対側で、窓ガラス１６に隣接し且つ近接した位置にある。第１の楔部材１２の上部翼部は、取外し可能なカバープレートの縁部と窓ガラス１６との間の小さな隙間内に延在する。しかしながら、取外し可能なカバープレート３０は、取外し可能なカバープレート３０が押出成形品２０に固定されるとき、第１の楔部材１２が実質的に隠蔽され且つ視界から遮られることを確実なものとする。最終的な結果は、窓ガラスとアルミニウム押出成形品との間の接合部の外観を目立たなくすると同時に一層審美的な心地良さを与える。
【００３５】
本発明に係るアルミニウム押出成形品フレーミングシステム４０の第２の実施形態が、図１１〜１４に示されている。フレーミングシステム４０は、フレーミングシステムの第１の実施形態１０と同様であり、従って、同じ要素には同じ参照番号が付されており、重複した説明はしない。フレーミングシステム４０は、パネル１６をフレーミングシステムにて固定及び密封するための弾性材料によって形成された第１の楔部材１２を含む。好ましくは、第１の楔部材１２は、一対の楔部材の１つであり、第２の楔部材１４も、パネル１６をフレーミングシステムにて固定及び密封するために設けられる。
【００３６】
フレーミングシステム４０は、パネル１６の縁部をその中に受け入れるように構成されたチャネル２２を有するアルミニウム押出成形品５０も含む。チャネル２２は、一対の対向する側壁２４と、第２の側壁２４ａの上端縁に沿って設けられた細長いリップ２６とを有する。第１の側壁２４ｂには、これに関連した第１の楔部材１２を受け入れるための押出成形品２０の全長に亘って延在する第１の細長い保持手段２８が形成されている。第１の細長い保持手段２８は、使用時に、第１の楔部材１２がこれに関連して受け入れられたときに第１の楔部材１２が細長いリップ２６の上方に突出しないように、配置される。
【００３７】
第１の実施形態と同様に、フレーミングシステム４０は、更に、取外し可能なカバープレート６０を含む。取外し可能なカバープレート６０は、押出成形品５０に固定され、チャネル２２の第１の側壁２４ｂの上端縁に近接して受け入れられるように構成されており、これにより、使用時に、第１の楔部材１２が第１の保持手段２８に関連して受けられた状態でパネル１６がチャネル２２に設置されるとき、取外し可能なカバープレート６０が押出成形品５０に固定されると第１の楔部材１２は実質的に隠蔽される。取外し可能なカバープレート３０のこの隠蔽機能は、図１３及び図１４に示されている。
【００３８】
好ましくは、チャネル２２の第２の側壁２４ａには、それに関連した第２の楔部材１４を受け入れるための押出成形品５０の全長に亘って延在する第２の細長い保持手段３２が形成されている。
【００３９】
この実施形態のフレーミングシステム４０と前述の実施形態の主な相違は、取外し可能なカバープレート６０が押出成形品５０に固定される方法である。この実施形態の取外し可能なカバープレート６０は、（第１の実施形態と同様）その長さに沿って一方の縁部に第１の細長い保持クリップ３６を備え、この保持クリップ３６は、アルミニウム押出成形品５０に設けられた、適合する細長い突起の下でクリップ留めするように設計されている。第２の細長い保持クリップ６２が、その長さに沿って、取外し可能なカバープレート６０の幅の中間に設けられ、アルミニウム押出成形品５０に関連して設けられた固定クリップ６４と係合するように構成されている。
【００４０】
この実施形態に係るアルミニウム押出成形品５０には追加の細長い突起５４が設けられている。この突起５４は、チャネル２２に隣接して設けられたキャビティの壁に設けられている。突起５４は、それに関連した固定クリップ６４を受け入れるように設計されている。第１及び第２の楔部材１２、１４の両方が夫々の第１及び第２の細長い保持手段に挿入されると、取外し可能なカバープレート６０が所定の位置にクリップ留めされ、アルミニウム押出成形品５０に固定され、図１３及び１４に示すように、第１の楔部材１２は、実質的に隠蔽される。最終結果は、図７に示す例と同様に、パネル１６とアルミニウム押出成形品５０の間の接合部の外観に一層審美的な心地良さを与える。
【００４１】
パネル１６を本実施形態のフレーミングシステム４０にて設置する好ましい方法は、前述の実施形態と実質的に同様であり、重複した説明はしない。前に述べたように、主な相違は、取外し可能なカバープレート６０を所定の位置にクリップ留めし、アルミニウム押出成形品５０に固定する方法にある。
【００４２】
図１５〜図１８は、本発明係るアルミニウム押出成形品フレーミングシステム９０の別の実施形態を図示し、ドアのヒンジの一部を隠蔽するために使われる。フレーミングシステム９０は、前述の実施形態に係るアルミニウム押出成形品２０と同様のアルミニウム押出成形品１００を含む。この実施形態では、アルミニウム押出成形品１００はキャビティ１０２を含み、その中にてヒンジ９２の一部を隠蔽することができる。アルミニウム押出成形品１００は、典型的には、ドア（図示せず）用のドアフレームの一部を形成することができる。図１５〜図１７に明瞭に分かるように、隠蔽されるべきヒンジの一部は、キャビティ１０２に受け入れられるように曲げられている。次に、図１５に示すように、ヒンジ９２をドアフレームに接続するためのねじ締め具９４を、ヒンジの一部を通してドアフレームにねじ込むことができる。
【００４３】
フレーミングシステム９０は、更に、カバープレート１０４を含み、このカバープレート１０４は、アルミニウム押出成形品１００に固定することができ、キャビティ１０２を覆うように構成されている。使用時に、取外し可能なカバープレート１０４が押出成形品１００に固定されると、キャビティ１０２に受け入れられたヒンジ９２の一部は実質的に隠蔽される。図１８ｂにて最も明瞭に分かるように、カバープレート１０４には、一対の狭い長方形の開口１０６が形成されており、この開口１０６はキャビティ１０２内に受け入れられているヒンジ９２の一部を貫通して受け入れる寸法に構成されている。ヒンジ９２の一部とねじ締め具９４の両方がキャビティ内に隠蔽され、ドアフレームの仕上がりに一層審美的な心地良さを与える。
【００４４】
図１５〜図１８の実施形態は、ドアのヒンジを隠蔽することに関して説明されている。ただし、ロックなどの他のドアハードウエアのアイテムも、ドアヒンジが隠蔽されるのと同様な方法で、適切に対応することで隠蔽されることができることに留意されたい。
【００４５】
標準的なアルミニウムフレームを参照して実施形態を説明したが、本発明は熱的遮断されたアルミニウムシステムにも同様に適用できることに留意されたい。後者の場合、慣用的な手段として、外部から内部への熱伝達を阻止するためにＰＶＣ部材又は熱的遮断が含まれている。
【００４６】
図１９（ａ）〜図１９（ｅ）は、本発明に係るフレーミングシステム１１０のさらなる実施形態を図示しており、上述の第１又は第２の実施形態と組み合わせて使用してもよいが、又は独立したシステムとして使用することができる。この実施形態に係るフレーミングシステム１１０は、パネル１１６の縁部を受け入れるチャネル１２２を有するアルミニウム押出成形品１２０を含み、チャネル１２２は一対の対向する側壁１２４によって形成されている。この実施形態では、チャネルの第１の側壁１２４ｂは、取外し可能な支持部材１２６の一部によって形成される（図１９（ｃ）〜図１９（ｅ）を参照）。第１の側壁１２４ｂは第１の細長い保持手段１２８を有し、保持手段１２８は、それに関連した第１の楔部材１１２を受け入れるように、押出成形品１２０の全長に亘って延在する。第１の楔部材１１２は、パネル１１６をフレーミングシステムにて固定及び密封するための弾性材料によって形成されている。
【００４７】
フレーミングシステム１１０は、更に、取外し可能なカバープレート１３０を含み、取外し可能なカバープレート１３０は、押出成形品１２０に固定され、チャネル１２２の第１の側壁１２４ｂの上端縁に近接して受け入れられるように構成されている。使用時に、第１の楔部材１１２が第１の保持手段１２８に関連して受け入れられた状態でパネル１１６がチャネル１２２に設置されるとき、取外し可能なカバープレート１３０が押出成形品１２０に固定されると第１の楔部材は実質的に隠蔽される。
【００４８】
好ましくは、第１の楔部材１２４は一対の楔部材の１つであり、フレーミングシステム１１０は、更に、パネルをフレーミングシステムにて固定及び密封するための弾性材料によって形成された第２の楔部材１１４を含む。好ましくは、第２の側壁１２４ａには、第２の細長い保持手段１３２が形成され、保持手段１３２は、それに関連した第２の楔部材１１４を受け入れるために押出成形品１２０の全長に亘って延在する。
【００４９】
第１及び第２の実施形態と同様に、細長いリップ１３６が、チャネル１２２の第２の側壁１２４ａの上端縁に沿って設けられている。好ましくは、細長いリップ１３６とカバープレート１３０の両方は、設置後にパネル１１６に隣接し且つ近接して位置する縁部を夫々有する。
【００５０】
この実施形態のアルミニウム押出成形品１２０は、典型的には窓又はドアフレームの底部フレーム部材として使用されるため、敷居部分１２０と呼ばれる。典型的な窓枠には、４つのサイドフレーム部材が有る。２つの垂直側部フレーム部材及び上部側部フレーム部材は、典型的には、第１及び第２の実施形態のアルミニウム押出成形品２０又は５０を含む。しかしながら、通常は底部又は敷居である第４のサイドフレーム部材には、片側が開いている敷居部分１２０が使用される。敷居部分１２０が片側で開いている理由は、ガラス板を組み立てられた窓枠に挿入できるようにするためである。理論的には、窓枠の４辺すべてに敷居部分１２０を使用して窓ガラスを嵌めることができる。
【００５１】
ここで、図１９（ａ）〜図１９（ｅ）を参照して、パネル１１６、例えば、窓ガラスをフレーミングシステム１１０のアルミニウム押出成形品１２０に取り付ける好ましい方法を説明する。
【００５２】
第１に、第２の楔部材１１４が、好ましくは、第２の側壁２４ａ上の第２の細長い保持手段１３２に関連して挿入される。第２の側壁１２４ａ上の第２の細長い保持手段１３２の位置、及び第２の楔部材１１４の形状は、設置時に、第２の楔部材１１４が細長いリップ１２６の下に実質的に隠蔽されるように構成されていることが理解されよう。
【００５３】
次に、図１９（ｂ）に示すように、窓ガラス１１６の縁部がアルミニウム押出成形品１２０に形成されたチャネル１２２に受け入れられた状態で、窓ガラス１１６をフレームに取付け、第２の楔部材１１４に対して押し付ける。勿論、チャネル１２２は、この特定の厚さの窓ガラスをその中に受け入れるように設計及び寸法が決められている。窓ガラス１１６がチャネル１２２に設置されると、細長いリップ１２６の細長い縁部が窓ガラス１１６に隣接し且つ近接した位置にある。
【００５４】
従って、図１９（ｃ）〜図１９（ｅ）に示すように、窓ガラス１１６がチャネル１２２内に正しく配置された状態で、支持部材１２６が適切な位置にクリップ留めされる。支持部材１２６上の足が、アルミニウム押出成形品１２０に設けられた第１の細長い保持クリップ１１８の下に引っ掛かり、次に支持部材１２６が所定の位置にカチッと嵌る。ここで、支持部材１２６上の第１の側壁１２４ｂは、第２の側壁１２４ａとともに、アルミニウム押出成形品１２０のチャネル１２２を形成する。
【００５５】
次に、図１９（ｄ）に示すように、第１の楔部材１１２が、窓ガラス１１６とチャネル１２２の第１の側壁１２４ｂとの間の狭い隙間に挿入される。第１の楔部材１１２は、図１１９（ｄ）及び図１１９（ｅ）に示すように、この狭い隙間に押し込まれることができるように設計されている。第１の楔部材１１２の後面には、第１の細長い保持手段１２８を捕捉する突出リブが形成されている。従って、第１の楔部材１２が窓ガラス１１６とチャネル１２２の第２の壁１２４ｂとの間の狭い隙間の中に楔止めされ、第１の細長い保持手段１２８によって保持されると、それを取り外すことは事実上不可能であり、窓ガラス１１６はチャネル１２２に強固に且つ確実に楔止めされた状態となる。
【００５６】
最後に、図１９（ｅ）に示すように、取外し可能なカバープレート１３０をアルミニウム押出成形品１２０に取り付けられる。この実施形態に係る取外し可能なカバープレート１３０には、その長さに沿って各縁部に第１及び第２の細長い保持クリップが設けられており、この保持クリップは支持部材１２６及びアルミニウム押出成形品１２０に設けられた、適合する細長い突起の下でクリップ留めするように設計されている。一旦、取外し可能なカバープレート１３０が取り付けられると、取外し可能なカバープレート１３０の細長い縁部は、細長いリップ１２６の反対側で窓ガラス１１６に隣接し且つ近接した位置にある。前述の実施形態と同様に、取外し可能なカバープレート１３０は、取外し可能なカバープレート１３０がアルミニウム押出成形品１２０に固定されるとき、第１の楔部材１１２が実質的に隠蔽され且つ視界から遮られることを確実化する。最終的な結果は、窓ガラスとアルミニウム押出成形品の間の接合部の外観に一層審美的な心地良さを与える。
【００５７】
図２０（ａ）〜図２０（ｅ）は、本発明に係るフレーミングシステム１４０のさらに別の実施形態を示し、サッシ窓（又はスライド窓）用の窓サッシ部１５０の形状のアルミニウム押出成形品を含む。アルミニウム押出成形品１５０は、ガラス板１５４の縁部を受け入れるように構成されたチャネル１５２を有し、このチャネルは、一対の対向する側壁１４２によって形成されている。この実施形態では、チャネルの第１の側壁１４２ｂは、取外し可能な支持部材１５８の一部によって形成される（図２０（ｂ）、図２０（ｅ）及び図２０（ｆ）を参照）。第１の側壁１４２ｂは、第１の細長い保持手段を有し、この保持手段は、関連する第１の楔部材１５６を受け入れるために支持部材１５８の全長に亘って延在する。第１の楔部材１５６は、パネル１１６をフレーミングシステムにて固定及び密封するための弾性材料によって形成されている。
【００５８】
図２０（ｅ）及び図２０（ｆ）に示すように、支持部材１５８は、アルミニウム押出成形品１５０の所定の位置にクリップ留めされる。支持部材１２６上の足は、アルミニウム押出成形品１２０に設けられた第１の細長い保持クリップ１１８の下に引っ掛かり、次いで、支持部材１２６は、所定の位置にカチッと嵌ることができる。ここで、支持部材１２６の第１の側壁１２４ｂは、第２の側壁１２４ａとともに、アルミニウム押出成形品１２０のチャネル１２２を形成する。
【００５９】
フレーミングシステム１４０は、更に、取外し可能なカバープレート１４４を含み、この取外し可能なカバープレート１４４は、押出成形品１５０に固定され、チャネル１５２の第１の側壁１４２ｂの上端縁に近接して受け入れられるように構成されている。使用時に、第１の楔部材１５６が第１の保持手段に関連して受け入れられた状態で窓ガラス１５４がチャネル１５２内に設置されるとき、取外し可能なカバープレート１４４が押出成形品１５０に固定されると第１の楔部材は実質的に隠蔽される。
【００６０】
取外し可能なカバープレート１４４が押出成形品１５０に固定される方法は、フレーミングシステム４０の第２の実施形態と同様である。この実施形態の取外し可能なカバープレート１４４には、その長さに沿って一方の縁部に第１の細長い保持クリップが設けられ、この第１の細長い保持クリップは、取外し可能な支持部材１５８に設けられた適合する細長い凹部と係合するように設計されている。第２の細長い保持クリップ１５２は、その長さに沿って、取外し可能なカバープレート１４４の幅の中間に設けられ（図２０（ｃ）参照）、支持部材１５８に関連して設けられた固定クリップ１４６と係合するように構成されている。
【００６１】
この実施形態に係る取外し可能な支持部材１５８には追加の細長い突起１４８（図２０（ｂ）参照）が設けられ、突起１４８は、その長さに沿って、支持部材の幅の中間に設けられている。突起１４８は、関連した固定クリップ１４６を受け入れるように設計されている。第１の楔部材１５６が第１の細長い保持手段に挿入されると、図２０（ｆ）に示すように、取外し可能なカバープレート１４４が所定の位置にクリップ留めされ、支持部材１５８に固定される。その結果、第１の楔部材１５６は実質的に隠蔽される。最終結果は、窓ガラス１６とアルミニウム押出成形品（サッシ部分）１５０との間の接合部の外観に一層審美的な心地良さを与える。
【００６２】
図２１〜図２４に、本発明係るアルミニウム押出成形品フレーミングシステム１６０のさらに別の実施形態が示されている。フレーミングシステム１６０は、第１の実施形態のフレーミングシステム１０と同様であり、従って、同じ要素は同じ参照番号が付され、重複した説明は省略する。フレーミングシステム１０と同様に、フレーミングシステム１６０は取外し可能なカバープレート３０を含み、取外し可能なカバープレート３０は、押出成形品２０に固定され、チャネル２２の第１の側壁２４ｂの上端縁に近接して受け入れられるように構成されており、これによって、使用時に、第１の楔部材１２が第１の保持手段２８に関連して受け入れられた状態でパネル１６がチャネル２２に設置されるとき、取外し可能なカバープレート３０が押出成形品２０に固定されると第１の楔部材１２は実質的に隠蔽される。
【００６３】
好都合なことに、カバープレート３０は、アルミニウム押出成形品２０内において他のものを隠蔽するために使用することもできる。この実施形態では、カバープレート３０は、アルミニウム押出成形品内に設けられたキャビティ内にて、取外し可能なカバープレート３０の背後に設置された照明器具１６２を隠蔽するために使用され、そのため、使用時に、照明効果がパネル１６に隣接して創り出されることができる。図示した実施形態では、照明効果は、カバープレート３０にレーザーカットされたパターン、言葉、ロゴまたは他の印１６４であり、使用時に、照明器具１６２のスイッチがオンにされると、レーザーカットの印を介して光輝いて照明効果を創出する。
【００６４】
典型的には、照明器具１６２は、図２４に示すように、アルミニウム押出成形品２０内に設けられたキャビティ内にてカバープレート３０のすぐ後ろに取り付けられたＬＥＤアレイである。好ましくは、図２２に示すように、照明効果を高めるために、照明器具１６２とレーザーカット印との間にて、カバープレート３０の背後にカラーフィルター及び／又はディフューザ１６６も設置される。或いは、レーザーカットの印の代わりに、カバープレート３０に開口が設けられ、図２３に示すように、その中に別の種類の照明器具１６８が受け入れられ、この照明器具１６８は、光源及びカラーフィルター及び／又は照明器具に一体化したディフューザを有する。
【００６５】
図２５〜図３９は、本発明に係る押出成形品フレーミングシステム１７０の別の実施形態を示し、ドア／窓又は他のパネルのヒンジの一部を隠蔽するために使用できる。特に、ヒンジ１７２のネジ固定具を隠蔽することにより、滑らかで途切れない仕上がりを創出することができるように設計される。この場合、例えば、各サッシ内に装着されたガラスパネルを備えた２つ折りドアのドアとドアヒンジ接続用である。これにより、パネルの上部から下部まで連続した密封が可能になるため、システムの耐候性が向上する。
【００６６】
フレーミングシステム１７０は、ガラスドアのサッシ部分を形成する実質的に同一の第１及び第２のドアフレーム押出成形品１７４を含む。この実施形態では、各押出成形品１７４は、ヒンジ１７２の一部を隠蔽することができるキャビティ１７６を含む。図２５及び図２６から明らかなように、切り欠き１７８がサッシ部の縁部に設けられており、これを通して隠蔽されるヒンジの一部がキャビティ１７６に受け入れられるように延びている。さらに、ヒンジ１７２自体は、図２８（ｂ）及び図２９で最も明確にわかるように、押出成形品１７４のプロファイルに整合するように修正された形状を有し、そのため、ヒンジ１７２がキャビティ内に受け入れられると、ヒンジの一部がサッシ部分の切り欠き１７８を置き換える。
【００６７】
フレーミングシステム１７０は、更に、一対のカバープレート１８０を含み、このカバープレート１８０は、夫々の押出成形品１７４に固定されることができ、各キャビティ１７６を覆うように構成されている。使用時に、取外し可能なカバープレート１８０が夫々の押出成形品１７４に固定されると、キャビティ１７６内に受け入れられたヒンジ１７２の一部は実質的に隠蔽される。図２５に最も明瞭に見られるように、各カバープレート１８０には、狭い断熱部１８２が形成され、この断熱部１８２は、カバープレート１８０の全長に亘って延在する。図２６と図２７に示すように、ヒンジ１７２の一部とヒンジをサッシに固定するために使用されるネジ留め具の両方は、夫々のキャビティ１７６内に隠蔽され、ドアフレームの仕上がりに一層審美的な心地良さを提供する。
【００６８】
ドア／窓又は他のパネルのヒンジの一部を隠蔽するための押出成形品フレーミングシステム１７０の前述の実施形態は、押出成形されたアルミニウムから製造される必要がないことは明らかであろう。それは、例えば、ＵＰＶＣ、ガラス繊維又は他の硬質プラスチック又は複合材料を含む、任意の適切な材料から押出成形されてもよい。また、このような材料の組み合わせからも形成できる。これは、図３０〜図３６に示す実施形態にも当てはまる。
【００６９】
図３０〜図３３は本発明に係る押出成形品フレーミングシステム１９０の別の実施形態を示し、ドア／窓又は他のパネルのヒンジの一部を隠蔽するために使用できる。フレーミングシステム１９０は、前述の実施形態のアルミニウム押出成形品１７４と同様なドアフレーム押出成形品１９２と、ドアジャム押出成形品１９４とを含む。この実施形態では、押出成形品１９２は、ヒンジ１９８の一部を隠蔽することができるキャビティ１９６を含む。押出成形品１９２は、通常、ガラスドア（図示せず）用のフレーム又はサッシ部分の一部を形成するであろう。図３０から明らかなように、サッシ部分の一方の縁部に切り欠き２０２が設けられており、これを通って隠蔽されるヒンジ１９８の一部がキャビティ１９６内に受け入れられるように延びている。さらに、ヒンジ１９８自体は、図３２及び図３３に最も明確に見られるように、押出成形品１９２のプロファイルに整合するように修正された形状を有し、そのため、ヒンジ１９８がキャビティに受け入れられると、ヒンジの一部はサッシ部分の縁部にある切り欠き２０２を置き換える。フレーミングシステム１９０は、更にカバープレート２００を含み、カバープレート２００は押出成形品１９２に固定されることができ、キャビティ１９６を覆うように構成されている。
【００７０】
フレーミングシステム１９０は、ドアジャム押出成形品１９４を含み、この押出成形品１９４はヒンジ１９８の他の部分を隠蔽することができるキャビティ２０２を含む。押出成形品１９４は、典型的には、ドア（図示せず）用のジャム（わき柱）の一部を形成する。フレーミングシステム１９０は更にカバープレート２０４を含み、カバープレート２０４は、押出成形品１９４に固定されることができ、キャビティ２０２を覆うように構成されている。使用時に、取外し可能なカバープレート２０４が押出成形品１９４に固定されると、キャビティ２０２に受け入れられたヒンジ１９８の一部は実質的に隠蔽される。図３０に最も明確に見られるように、カバープレート２０４には狭い長方形の開口２０６が形成されており、この開口２０６は、キャビティ２０２内に受け入れられたヒンジ１９８の一部を貫通して受け入れる寸法を有する。図３１に示すように、ヒンジ１９８の一部とねじ締め具の両方がキャビティ内に隠蔽され、ドアジャムの仕上がりに一層審美的な心地良さを与える。
【００７１】
前述の実施形態と同様に、各カバープレート２００及び２０４には、カバープレートの全長に亘って延在する狭い断熱部１８２が形成されている。
【００７２】
図２５から図３３の実施形態は、ドアのヒンジを隠蔽することに関して説明されている。ただし、前述のように、ロックなどの他のドアハードウエアのアイテムも、ドアヒンジが隠蔽されるのと同様な方法で、適切に対応することで隠蔽されることができる。
【００７３】
図３４から図３６は、本発明による押出成形品フレーミングシステム２１０の別の実施形態を示しており、パネルをフレーミングシステムにて所定の位置に保持するための保持機構の一部又は全部を隠蔽するために使用できる。保持機構は、ロック、ヒンジ、磁気キャッチ、又はドア、窓、又は他のパネルを所定の位置に保持するためのその他の機構の固定具又は本体であってもよい。フレーミングシステム２１０はキャビティ２１４を備えた押出成形品２１２を含み、キャビティ２１４にて、パネルをフレーミングシステムにて所定の位置に保持するための保持機構の一部を隠蔽することができる。夫々の場合において、保持機構は、押出成形品及び／又はドア、窓、又は他のパネルに機械的に接続されるように構成された機構を含む。
【００７４】
図３４から図３６に示す実施形態では、パネルをフレーミングシステム２１０にて所定の位置に保持するための保持機構は、磁気キャッチ機構２１６である。典型的には、磁気キャッチ機構は、第１及び第２の磁石２１８ａ及び２１８ｂを含み、これらを近接させると強い引力を発揮してパネルを閉位置に保持する。
【００７５】
図３４に示す実施形態では、第１の磁石２１８ａは、パネル用のフレームを形成する押出成形品２１２のキャビティ２１４内に隠蔽されている。取外し可能なカバープレート２２０は、押出成形品２１２に固定されるように構成され、更に、キャビティ２１４内の第１の磁石２１８ａを隠蔽するために設けられる。第２の磁石２１８ｂは、パネル用のジャムを形成するために使用される押出成形品２２４のキャビティ２２２内に隠蔽される。取外し可能なカバープレート２２６は、押出成形品２２４に固定されるように構成され、且つ、キャビティ２２２内の第２の磁石２１８ｂを隠蔽するために設けられる。
【００７６】
図３５に示す実施形態では、第１の磁石２１８ａは、図３４に示す例と同様に、パネル用のフレームを形成する押出成形品２１２のキャビティ２１４内に隠蔽されている。キャビティ２１４内に第１の磁石２１８ａを隠蔽するために、カバープレート２２０が設けられている。しかしながら、第２の磁石２１８ｂは、パネル用のジャムを形成するために使用される押出成形品２２４の別のキャビティ２２８内に隠蔽されている。取外し可能なカバープレート２３０は、押出成形品２２４に固定されるように構成され、キャビティ２２８内の第２の磁石２１８ｂを隠蔽するために設けられる。この実施形態の取外し可能なカバープレート２３０は、ゴム製のドアシール２３２を支持するためにも使用され、ドアシール２３２は、パネルが閉位置にあるときにパネル用のフレーム２１２を押圧する。
【００７７】
図３６に示す実施形態では、第１の磁石２１８ａは、図３４に示す例と同様に再び、パネル用のフレームを形成する押出成形品２１２のキャビティ２１４内に隠蔽されるが、磁石２１８ａがフレームの一方の側により近接して配置されている点が異なる。キャビティ２１４内に第１の磁石２１８ａを隠蔽するために、カバープレート２２０が設けられている。第２の磁石２１８ｂはゴム製のドアシール２３２内に隠蔽されており、ドアシール２３２は、パネル用のジャムのための押出成形品２２４に設けられた取外し可能なカバープレート２３０に支持されている。
【００７８】
図４０及び図４１は、本発明による押出成形品フレーミングシステム２６０の別の実施形態を示しており、パネルをフレーミングシステムにて所定の位置に保持するための保持機構の一部又は全部を隠蔽するために使用できる。フレーミングシステム２６０は、キャビティ２６４を有するドア用のアルミニウムフレーム押出成形品２６２を含み、キャビティ２６４にて、パネルをフレーミングシステムにて所定の位置に保持するためのロック機構２６６の一部を隠蔽することができる。
【００７９】
図４０及び図４１の実施形態では、パネルをフレーミングシステム２６０にて所定の位置に保持するための保持機構は、ロック機構２６６である。典型的には、ロック機構２６６はラッチ機構２６８を含み、ラッチ機構２６８は、ドアを閉位置に保持するために、ストライクプレートを通ってドアフレーム（図示せず）内に延びるラッチを有する。図４１に示す実施形態では、ラッチ機構２６８は、ドア用のフレームを形成する押出成形品２６２のキャビティ２６４内に隠蔽される。取外し可能なカバープレート２７０は、押出成形品２６２に固定されるように構成され、キャビティ２６４内のラッチ機構の一部を隠蔽するように設けられる。カバープレート２７０には、図４０に示すように、開口２７２が設けられており、この開口を通って、ラッチ機構のラッチが突出する。これは、通常見えるラッチ機構２６８の唯一の部分である。
【００８０】
図３４から図３６、図４０、及び図４１に示す実施形態の夫々において、使用時に、取外し可能なカバープレートが夫々の押出成形品に固定されると、保持機構の少なくとも一部が実質的に隠蔽されることがわかる。
【００８１】
図３７から図３９に、本発明によるアルミニウム押出成形品フレーミングシステム２４０のさらに別の実施形態を示す。フレーミングシステム２４０は、パネル２４４をフレーミングシステムにて固定及び密封するための弾性材料によって形成された第１及び第２の楔部材２４２ａ及び２４２ｂを含む。第１及び第２の楔部材２４２は、図１から図１０に示す第１の実施形態の第２の楔部材１４と同様である。
【００８２】
フレーミングシステム２４０は更に第１のアルミニウム押出成形品２４６を含み、押出成形品２４６は、パネル２４４の縁部を受け入れるように構成されたチャネルを形成しており、このチャネルは一対の対向する側壁によって形成される。チャネルの第１の側壁は、関連した第１の楔部材２４２ａを受け入れるために、押出成形品２４６の全長に亘って延在する第１の細長い保持手段２４８を有する。
【００８３】
図３７に示すように、第２のアルミニウム押出成形品２５０は、第１の押出成形品２４６に固定されるように構成され、チャネルを形成する一対の対向する側壁の第２の側壁を提供する。第２の側壁は第２の細長い保持手段２５２を有し、保持手段２５２は、関連した第２の楔部材２４２ｂを受け入れるように押出成形品２５０の全長に亘って延在する。使用時に、第１の楔部材２４２ａが第１の保持手段２４８に関連して受け入れられ且つ第２の楔部材２４２ｂが第２の保持手段２５２に関連して受け入れられた状態でパネル２４４がチャネルに設置されるとき、第２の押出成形品２５０が第１の押出成形品２４６に固定されると第１及び第２の楔部材は実質的に隠蔽される。
【００８４】
好ましくは、チャネルの第１及び第２の側壁の両方の上端縁に沿って細長いリップ２５４が設けられる。好ましくは、第１及び第２の側壁の両方の上端縁に沿って設けられた細長いリップ２５４は、図３７に示すように、設置後にパネル２４４に隣接し且つ近接した位置にある縁部を有する。
【００８５】
前述の実施形態の夫々において取外し可能なカバープレートは、フレーミングシステム用の押出成形品とは異なる材料から作られてもよいことは明らかであろう。さらに、カバープレートは、任意の適切な手段、例えばプラスチック製クリップ、磁石、面ファスナー、接着剤、シリコン等によって、押出成形品に接続されてよい。本発明のフレーミングシステムは、天幕、両開き、旋回及びスライド又はヒンジを含むあらゆる種類のドア、窓及びパネルに適用可能である。
【００８６】
グレージングフレーミングシステム及び方法のいくつかの実施形態が詳細に説明されたが、説明された実施形態は、以下を含む従来技術を超える多くの利点を提供することが明らかであろう。
（ｉ）これらの実施形態は、ガラス板とアルミニウム押出成形品との間の接合部に、より目立たない、且つ、一層審美的で心地よい外観を提供する。
（ｉｉ）これらの実施形態は、ガラス板をアルミニウム押出成形品に楔止めするために使用される楔部材を隠蔽することにより、それを実質的に見えないようにすることによって、実現される。
（ｉｉｉ）これらの実施形態は、パネルを所定の位置に保持するための他の種類の固定具又は保持機構を隠蔽し、それによって、一層審美的な心地良い仕上げを創り出すために、用いられる。
【００８７】
本発明の基本的な発明概念から逸脱することなく、既に説明した実施形態に加えて、前述の実施形態に様々な修正及び改善を加えることができることは、当業者には容易に理解されよう。例えば、パネルをアルミニウム押出成形品にて楔止めするために使用される楔部材の数、形状、及び形式は、添付の図面に示されているものとは大幅に異なる場合があろう。従って、本発明の範囲は、記載された特定の実施形態に限定されないことが理解されよう。
【国際調査報告】
2020516796.tif 000056
2020516796.tif 000057
2020516796.tif 000058
2020516796.tif 000059
2020516796.tif 000060